(57)【要約】  本開示は、第１の期間中、アンライセンス無線セルを介して基地局によって送信されたチャネル占有信号を対象として、アンライセンス無線セルのダウンリンクチャネルをモニタするユーザ機器（ＵＥ）に関する。チャネル占有信号は、基地局がダウンリンクチャネルを占有していることを示す。ＵＥは、第１の期間中に、基地局からチャネル占有信号を受信し、受信されたチャネル占有信号に基づいて、基地局がダウンリンクチャネルを占有していると判定する。基地局がダウンリンクチャネルを占有していると判定した後、ＵＥは、第２の期間中、ユーザ機器によって受信されるダウンリンク送信に関するダウンリンク制御情報を対象として、ダウンリンクチャネルをモニタする。ＵＥは、第２の期間中に、ダウンリンク制御情報を受信し、次いで、受信されたダウンリンク制御情報に基づいて、基地局からダウンリンク送信を受信する。
2021532620.tif 000002
【特許請求の範囲】
【請求項１】
ユーザ機器であって、
動作中、第１の期間中、移動通信システムのアンライセンス無線セルを介して前記ユーザ機器と通信する基地局によって送信されたチャネル占有信号であって、前記基地局がダウンリンク送信を実行するために前記アンライセンス無線セルのダウンリンクチャネルを占有していることを示す前記チャネル占有信号を対象として、前記ダウンリンクチャネルをモニタし、動作中、前記第１の期間中に、前記基地局から前記チャネル占有信号を受信する受信機と、
動作中、受信された前記チャネル占有信号に基づいて、前記基地局が前記ダウンリンクチャネルを占有していると判定するプロセッサと、
を備えており、
前記基地局が前記ダウンリンクチャネルを占有していると判定した後、前記受信機は、動作中、第２の期間中、前記ユーザ機器によって受信されるダウンリンク送信に関するダウンリンク制御情報を対象として、前記ダウンリンクチャネルをモニタし、
前記受信機は、動作中、前記第２の期間中に、前記ダウンリンク制御情報を受信し、次いで、受信された前記ダウンリンク制御情報に基づいて、前記基地局から前記ダウンリンク送信を受信する、
ユーザ機器。
【請求項２】
前記第１の期間中に前記チャネル占有信号が受信されない場合、前記ユーザ機器は、前記第１の期間が終わると始まるスリープ期間中、前記チャネル占有信号および前記ダウンリンク制御情報を対象として、前記ダウンリンクチャネルをモニタする必要がなく、
オプションとして、前記第２の期間中に前記ダウンリンク制御情報が受信されない場合、前記ユーザ機器は、前記第２の期間が終わると始まるスリープ期間中、前記チャネル占有信号および前記ダウンリンク制御情報を対象として、前記ダウンリンクチャネルをモニタする必要がない、
請求項１に記載のユーザ機器。
【請求項３】
前記チャネル占有信号は、
前記アンライセンス無線セルにおいて前記基地局によってブロードキャストされる参照信号と、
前記ダウンリンクチャネルの共通サーチスペース内で送信されるダウンリンク制御情報と、
のうちの少なくとも一方であり、
オプションとして、前記参照信号は復調用参照信号であり、
オプションとして、前記ダウンリンク制御情報は、５Ｇ−ＮＲ通信システムのスロットフォーマットインジケータ無線ネットワーク一時識別子（ＳＦＩ−ＲＮＴＩ）または中断送信インジケータＲＮＴＩ（ＩＮＴ−ＲＮＴＩ）またはシステム情報ＲＮＴＩ（ＳＩ−ＲＮＴＩ）を含む共通ＵＥ識別情報でスクランブルされている、
請求項１または２に記載のユーザ機器。
【請求項４】
前記第１の期間は、長不連続受信（ＤＲＸ）サイクルが始まるたびに始まり、前記長ＤＲＸサイクルは、前記ユーザ機器において動作するＤＲＸ機能の一部であり、
オプションとして、前記長ＤＲＸサイクルが始まるときに始まる前記第１の期間中に前記チャネル占有信号が受信されない場合、前記受信機は、動作中、残りの前記長ＤＲＸサイクル内で次の１つ以上の短ＤＲＸサイクルが始まるときに追加的に始まる別の第１の期間中、前記チャネル占有信号を対象として、前記ダウンリンクチャネルをモニタし、
オプションとして、前記第１の期間中に前記チャネル占有信号が受信され、前記第２の期間中に前記ダウンリンク制御情報が受信されない場合、前記受信機は、動作中、残りの前記長ＤＲＸサイクル内で次の１つ以上の短ＤＲＸサイクルが始まるときに追加的に始まる別の第２の期間中、前記ダウンリンク制御情報を対象として、前記ダウンリンクチャネルをモニタする、
請求項１ないし３のうちのいずれか１項に記載のユーザ機器。
【請求項５】
前記第２の期間中に前記ダウンリンク制御情報が受信されない場合、前記受信機は、動作中、次の長ＤＲＸサイクルが始まるときに始まる別の第１の期間中、前記チャネル占有信号を対象として、前記ダウンリンクチャネルをモニタし、
前記第２の期間中に前記ダウンリンク制御情報が受信された場合、前記受信機は、動作中、残りの前記長ＤＲＸサイクル内で次の１つ以上の短ＤＲＸサイクルが始まるときに追加的に始まる別の第１の期間中、前記チャネル占有信号を対象として、前記ダウンリンクチャネルをモニタする、
請求項１ないし４のうちのいずれか１項に記載のユーザ機器。
【請求項６】
前記第１の期間は、前記ユーザ機器において動作する不連続受信（ＤＲＸ）機能のオン期間より短く、
オプションとして、前記第２の期間は、前記ユーザ機器において動作する不連続受信（ＤＲＸ）機能のオン期間と同じ長さを有する、
請求項１ないし５のうちのいずれか１項に記載のユーザ機器。
【請求項７】
前記受信機は、動作中、前記基地局から、前記基地局が前記ダウンリンクチャネルを占有することが許可されるチャネル占有時間に関する情報をさらに受信し、
前記受信機は、動作中、前記チャネル占有時間が終わるときに、前記第２の期間中、前記ダウンリンク制御情報を対象として、前記ダウンリンクチャネルをモニタすることを停止し、
オプションとして、前記チャネル占有時間に関する情報は、前記基地局から前記チャネル占有信号と一緒に送信される、
請求項１ないし６のうちのいずれか１項に記載のユーザ機器。
【請求項８】
前記受信機は、動作中、
システム情報ブロードキャストと、
ダウンリンク制御情報と、
前記ユーザ機器を宛先とする無線リソース制御プロトコルのシグナリングと、
のうちの１つ以上の中で、前記第１の期間および／または前記第２の期間の時間長に関する情報を受信する、
請求項１ないし７のうちのいずれか１項に記載のユーザ機器。
【請求項９】
前記第１の期間は、同期ブロックモニタタイミング期間が始まるたびに始まり、
オプションとして、前記受信機は、動作中、前記基地局が前記ダウンリンクチャネルを占有することが許可される受信されたチャネル占有時間が終わるときに、前記第２の期間中、前記ダウンリンク制御情報を対象として、前記ダウンリンクチャネルをモニタすることを停止する、
請求項１ないし３のうちのいずれか１項に記載のユーザ機器。
【請求項１０】
前記受信機は、動作中、前記ユーザ機器が前記ダウンリンク制御情報を対象として前記ダウンリンクチャネルをモニタする必要がない、前記第２の期間内の期間に関する追加の情報を受信し、
オプションとして、前記追加の情報は、前記基地局から前記チャネル占有信号と一緒に受信され、
オプションとして、前記追加の情報は、時分割に基づく通信における、前記基地局からのダウンリンク通信が予測されないアップリンク期間を示す、
請求項９に記載のユーザ機器。
【請求項１１】
動作中、移動通信システムのアンライセンス無線セルを介してユーザ機器と通信する基地局であって、
動作中、前記アンライセンス無線セルのダウンリンクチャネルに対して空きチャネル判定を実行して、前記基地局がダウンリンク送信を実行するために前記ダウンリンクチャネルを占有できるかどうかを判定する受信機および処理回路と、
前記基地局が前記ダウンリンクチャネルを占有できるとき、動作中、前記アンライセンス無線セルの前記ダウンリンクチャネルにおいて、前記基地局がダウンリンク送信を実行するために前記ダウンリンクチャネルを占有していることを示すチャネル占有信号を前記ユーザ機器に送信する送信機と、
を備えており、
前記送信機は、動作中、前記ユーザ機器によって受信されるダウンリンク送信に関するダウンリンク制御情報を、前記ユーザ機器に送信し、
前記送信機は、動作中、受信される前記ダウンリンク制御情報に基づいて、ダウンリンク送信を前記ユーザ機器に送信する、
基地局。
【請求項１２】
前記処理回路は、動作中、前記ユーザ機器が、第１の期間中、前記基地局によって送信された前記チャネル占有信号を対象として、前記アンライセンス無線セルの前記ダウンリンクチャネルをモニタしているかどうかを判定し、
オプションとして、前記処理回路は、動作中、前記ユーザ機器が、第２の期間中、ダウンリンク制御情報を対象として、前記アンライセンス無線セルの前記ダウンリンクチャネルをモニタしているかどうかを判定し、
オプションとして、前記ユーザ機器が、第２の期間中、前記ダウンリンク制御情報を対象として、前記ダウンリンクチャネルをモニタしていると判定すると、前記送信機は、前記第２の期間中に、前記ダウンリンク制御情報を前記ユーザ機器に送信する、
請求項１１に記載の基地局。
【請求項１３】
ユーザ機器が、第１の期間中、移動通信システムのアンライセンス無線セルを介して前記ユーザ機器と通信する基地局によって送信されたチャネル占有信号であって、前記基地局がダウンリンク送信を実行するために前記アンライセンス無線セルのダウンリンクチャネルを占有していることを示す前記チャネル占有信号を対象として、前記ダウンリンクチャネルをモニタするステップと、
前記ユーザ機器が、前記第１の期間中に、前記基地局から前記チャネル占有信号を受信するステップと、
前記ユーザ機器が、受信された前記チャネル占有信号に基づいて、前記基地局が前記ダウンリンクチャネルを占有していると判定するステップと、
前記基地局が前記ダウンリンクチャネルを占有していると判定した後、前記ユーザ機器が、第２の期間中、前記ユーザ機器によって受信されるダウンリンク送信に関するダウンリンク制御情報を対象として、前記ダウンリンクチャネルをモニタするステップと、
前記ユーザ機器が、前記第２の期間中に、前記ダウンリンク制御情報を受信し、次いで、受信された前記ダウンリンク制御情報に基づいて、前記基地局から前記ダウンリンク送信を受信するステップと、
を含む方法。
【請求項１４】
移動通信システムのアンライセンス無線セルを介してユーザ機器と通信する方法であって、
基地局が、前記アンライセンス無線セルのダウンリンクチャネルに対して空きチャネル判定を実行して、前記基地局がダウンリンク送信を実行するためにダウンリンクチャネルを占有できるかどうかを判定するステップと、
前記基地局が前記ダウンリンクチャネルを占有できるとき、前記基地局が、前記アンライセンス無線セルの前記ダウンリンクチャネルにおいて、前記基地局がダウンリンク送信を実行するために前記ダウンリンクチャネルを占有していることを示すチャネル占有信号を前記ユーザ機器に送信するステップと、
前記基地局が、前記ユーザ機器によって受信されるダウンリンク送信に関するダウンリンク制御情報を、前記ユーザ機器に送信するステップと、
前記基地局が、受信される前記ダウンリンク制御情報に基づいて、ダウンリンク送信を前記ユーザ機器に送信するステップと、
を含む方法。
【発明の詳細な説明】
【技術分野】
【０００１】
本開示は、通信システム（３ＧＰＰ通信システムなど）における方法、装置、および製品に関する。
【背景技術】
【０００２】
現在、第３世代パートナーシッププロジェクト（３ＧＰＰ：the 3rd Generation Partnership Project）は、次世代のセルラー技術（第５世代（５Ｇ）とも呼ばれる）の技術仕様の次のリリース（リリース１５）に取り組んでいる。３ＧＰＰの技術仕様グループ（ＴＳＧ：Technical Specification Group）の無線アクセスネットワーク（ＲＡＮ：Radio Access network）会合＃７１（２０１６年３月、Gothenburg）において、ＲＡＮ１、ＲＡＮ２、ＲＡＮ３、およびＲＡＮ４が関与する、５Ｇの最初の検討項目「Study on New Radio Access Technology（新しい無線アクセス技術に関する検討）」が承認され、５Ｇの最初の標準規格を定義するリリース１５の作業項目になるものと予測される。この検討項目の目的は、ＲＡＮの要件の検討時に定義されたように、最大１００ＧＨｚの周波数範囲で動作し、かつ広範なユースケースをサポートする「新（しい）無線（ＮＲ：New Radio）」アクセス技術（ＲＡＴ）を開発することである（例えば、非特許文献１（www.3gpp.orgで入手可能であり、その全体が参照により本明細書に組み込まれる）を参照されたい）。
【０００３】
１つの目的は、少なくとも高度モバイルブロードバンド（ｅＭＢＢ：enhanced mobile broadband）、超高信頼・低遅延通信（ＵＲＬＬＣ：ultra-reliable low-latency communications）、大規模マシンタイプ通信（ｍＭＴＣ：massive machine type communication）を含む、例えば、非特許文献１の第６節に定義されているすべての利用シナリオ、要件、および配置シナリオに対処する単一の技術的枠組みを提供することである。例えば、ｅＭＢＢの配置シナリオには、屋内のホットスポット、密集都市部、郊外、都市部、および高速が含まれうる。ＵＲＬＬＣの配置シナリオには、産業制御システム、モバイル健康管理（遠隔モニタリング、診断、および治療）、車両のリアルタイム制御、スマートグリッドの広域監視・制御システムが含まれうる。ｍＭＴＣには、スマートウェアラブルやセンサネットワークなど、データ伝送の遅延の影響が小さい多数の装置を使用するシナリオが含まれうる。ｅＭＢＢサービスおよびＵＲＬＬＣサービスは、いずれも非常に広い帯域幅が要求される点において似ているが、ＵＲＬＬＣサービスが、超低遅延を必要とする点において異なる。
【０００４】
第２の目的は、前方互換性を達成することである。ロングタームエボリューション（ＬＴＥ、ＬＴＥ−Ａ）セルラーシステムに対する後方互換性は必要とされず、これにより、まったく新しいシステム設計および／または新規の特徴の導入が促進される。
【０００５】
物理層の基本的な信号波形は、ＯＦＤＭに基づき、非直交波形およびマルチアクセスがサポートされる可能性がある。例えば、ＯＦＤＭに加えての追加機能（ＤＦＴ−Ｓ−ＯＦＤＭ、および／または、ＤＦＴ−Ｓ−ＯＦＤＭのバリエーションなど）、および／または、フィルタリング／ウインドウイング、がさらに考慮されている。ＬＴＥでは、ダウンリンク送信の波形としてサイクリックプレフィックス（ＣＰ）をベースとするＯＦＤＭが使用され、アップリンク送信の波形としてＤＦＴ−Ｓ−ＯＦＤＭが使用されている。ＮＲにおける設計目標のうちの１つは、ダウンリンク、アップリンク、およびサイドリンクのための、できる限り共通の波形を模索することである。
【０００６】
上に挙げた目的を達成するため、波形に加えて、いくつかの基本フレーム構造およびチャネル符号化方式が開発される。検討では、上に挙げた目的を達成するための、無線プロトコルの構造およびアーキテクチャに関する要求事項についての共通の認識も模索される。さらには、上に挙げた目的を満たすために新しいＲＡＴを可能にするうえで必要な技術的特徴（同じ連続する周波数ブロックにおいて、複数の異なるサービスおよびユースケースのトラフィックを効率的に多重することを含む）が検討される。
【０００７】
既存のセルラーネットワークのアーキテクチャは、比較的一体的な構造であり、ユーザ装置へのモバイルトラフィックを容易にするトランスポートネットワークを有する。これらのアーキテクチャは、性能およびスケーラビリティの幅広い要件をサポートするうえで十分な柔軟性を備えていないことがある。
【０００８】
３ＧＰＰの第５世代システムのＮＲの標準化は初期段階にあるため、いくつかの課題が不明確なままであり、さらなる改良および新しい解決策が必要とされている。
【先行技術文献】
【非特許文献】
【０００９】
【非特許文献１】3GPP TR 38.913 “Study on Scenarios and Requirements for Next Generation Access Technologies”, current version 15.0
【非特許文献２】Technical Report TR 38.804 v14.0.0
【非特許文献３】TS 38.300 v15.2.0
【非特許文献４】3GPP TR 38.801 v14.0.0
【非特許文献５】3GPP TS 38.211 v15.2.0
【非特許文献６】TS 38.212 v15.2.0
【非特許文献７】TS 38.213 v15.2.0
【非特許文献８】3GPP Technical Report TR 36.889, current version 13.0.0
【非特許文献９】ETSI 301 893
【非特許文献１０】TS 38.331
【非特許文献１１】TS 36.321
【発明の概要】
【００１０】
非限定的かつ例示的な実施形態は、ユーザ機器が、基地局によって送信されたダウンリンク制御情報を対象として、アンライセンス無線セルのダウンリンクチャネルをいつどのようにモニタするかを最適化するための改良された手順を提供することを容易にする。
【００１１】
概括的な第１の一態様において、本明細書に開示されている技術は、次の記載に従った受信機とプロセッサとを備えているユーザ機器を特徴とする。受信機は、第１の期間中、移動通信システムのアンライセンス無線セルを介してユーザ機器と通信する基地局によって送信されたチャネル占有信号を対象として、アンライセンス無線セルのダウンリンクチャネルをモニタする。チャネル占有信号は、基地局がダウンリンク送信を実行するためにダウンリンクチャネルを占有していることを示す。受信機は、第１の期間中に、基地局からチャネル占有信号を受信する。プロセッサは、受信されたチャネル占有信号に基づいて、基地局がダウンリンクチャネルを占有していると判定する。基地局がダウンリンクチャネルを占有していると判定した後、受信機は、第２の期間中、ユーザ機器によって受信されるダウンリンク送信に関するダウンリンク制御情報を対象として、ダウンリンクチャネルをモニタする。受信機は、第２の期間中に、ダウンリンク制御情報を受信し、次いで、受信されたダウンリンク制御情報に基づいて、基地局からダウンリンク送信を受信する。
【００１２】
概括的な第１の一態様において、本明細書に開示されている技術は、次の記載に従った受信機および処理回路と送信機とを備えている基地局を特徴とする。受信機および処理回路は、アンライセンス無線セルのダウンリンクチャネルに対して空きチャネル判定を実行して、基地局がダウンリンク送信を実行するためにダウンリンクチャネルを占有できるかどうかを判定する。基地局がダウンリンクチャネルを占有できるとき、送信機は、アンライセンス無線セルのダウンリンクチャネルにおいてチャネル占有信号をユーザ機器に送信する。チャネル占有信号は、基地局がダウンリンク送信を実行するためにダウンリンクチャネルを占有していることを示す。送信機は、ユーザ機器によって受信されるダウンリンク送信に関するダウンリンク制御情報を、ユーザ機器に送信する。送信機は、受信されるダウンリンク制御情報に基づいて、ダウンリンク送信をユーザ機器に送信する。
【００１３】
概括的な第１の一態様において、本明細書に開示されている技術は、ユーザ機器（ＵＥ）によって実行される次のステップを含む方法を特徴とする。ＵＥは、第１の期間中、移動通信システムのアンライセンス無線セルを介してＵＥと通信する基地局によって送信されたチャネル占有信号を対象として、アンライセンス無線セルのダウンリンクチャネルをモニタする。チャネル占有信号は、基地局がダウンリンク送信を実行するためにダウンリンクチャネルを占有していることを示す。チャネル占有信号は、第１の期間中に、基地局から受信される。ＵＥは、受信されたチャネル占有信号に基づいて、基地局がダウンリンクチャネルを占有していると判定する。基地局がダウンリンクチャネルを占有していると判定した後、ＵＥは、第２の期間中、ユーザ機器によって受信されるダウンリンク送信に関するダウンリンク制御情報を対象として、ダウンリンクチャネルをモニタする。ＵＥは、第２の期間中に、ダウンリンク制御情報を受信し、次いで、受信されたダウンリンク制御情報に基づいて、基地局からダウンリンク送信を受信する。
【００１４】
概括的な第１の一態様において、本明細書に開示されている技術は、基地局によって実行される次のステップを含む方法を特徴とする。基地局は、アンライセンス無線セルのダウンリンクチャネルに対して空きチャネル判定を実行して、基地局がダウンリンク送信を実行するためにダウンリンクチャネルを占有できるかどうかを判定する。基地局がダウンリンクチャネルを占有できるとき、基地局は、アンライセンス無線セルのダウンリンクチャネルにおいてチャネル占有信号をユーザ機器に送信する。チャネル占有信号は、基地局が、ダウンリンク送信を実行するためにダウンリンクチャネルを占有していることを示す。基地局は、ユーザ機器によって受信されるダウンリンク送信に関するダウンリンク制御情報を、ユーザ機器に送信する。基地局は、受信されるダウンリンク制御情報に基づいて、ダウンリンク送信をユーザ機器に送信する。
【００１５】
なお、一般的な実施形態または特定の実施形態は、システム、方法、集積回路、コンピュータプログラム、記憶媒体、またはこれらの任意の選択的な組合せとして、実施できることに留意されたい。
【００１６】
開示されている実施形態およびさまざまな実装形態のさらなる恩恵および利点は、本明細書および図から明らかになるであろう。これらの恩恵および／または利点は、本明細書および図面のさまざまな実施形態および特徴によって個別に得ることができる。ただし、このような恩恵および／または利点のうちの１つまたは複数を得るために、これらの特徴すべてを設ける必要はない。
【図面の簡単な説明】
【００１７】
以下において、例示的な実施形態が、添付の図面を参照しながらより詳細に説明される。
【図１】３ＧＰＰ  ＮＲシステムについての例示的なアーキテクチャを示す図。
【図２】ＬＴＥ  ｅＮＢ、ｇＮＢ、およびＵＥについての例示的なユーザプレーンおよび制御プレーンのアーキテクチャを示す図。
【図３】いくつかのライセンスセルおよびアンライセンスセルを伴う例示的なＬＡＡ（ライセンス補助アクセス）シナリオを示す図。
【図４】ＬＡＡ送信についての送信挙動を示す図。
【図５】アンライセンスセルについてのＷｉ−Ｆｉ（登録商標）送信バーストとＬＡＡ  ＵＥダウンリンクバーストとの間のタイミングを示す図。
【図６】移動端末のＤＲＸ動作と、特に、短ＤＲＸサイクルおよび長ＤＲＸサイクルに従ったＤＲＸ機会およびオン期間と、を示す図。
【図７】アンライセンス無線セルで通信する場合のｇＮＢとＵＥとの間のインタラクションと、ＤＲＸ機能と、を示す図。
【図８】ＵＥおよびｇＮＢの例示的な簡略化された構成を示す図。
【図９】一実施形態の例示的な実装形態を示すシグナリング図。
【図１０】一実施形態の例示的な実装形態における、ＵＥの複数の異なる状態に関するＵＥにおける処理についての状態遷移図。
【図１１】一実施形態の例示的な実装形態におけるＵＥの挙動のフロー図。
【図１２】一実施形態の例示的な実装形態における基地局の挙動のフロー図。
【図１３】例示的なシナリオに基づき一実施形態の例示的な実装形態に係る改良されたＤＲＸメカニズムに基づく、アンライセンス無線セルで通信するときのｇＮＢとＵＥとの間のインタラクションを示す図。
【図１４】図１３とは異なる例示的なシナリオに基づき一実施形態の例示的な実装形態に係る改良されたＤＲＸメカニズムに基づく、アンライセンス無線セルで通信するときのｇＮＢとＵＥとの間のインタラクションを示す図。
【図１５】図１３および図１４とは異なる例示的なシナリオに基づき一実施形態の例示的な実装形態に係る改良されたＤＲＸメカニズムに基づく、アンライセンス無線セルで通信するときのｇＮＢとＵＥとの間のインタラクションを示す図。
【図１６】短ＤＲＸサイクルも考慮した、一実施形態の別の例示的な実装形態に係る改良されたＤＲＸメカニズムに基づく、アンライセンス無線セルで通信するときのｇＮＢとＵＥとの間のインタラクションを示す図。
【図１７】短ＤＲＸサイクルも考慮した、一実施形態の別の例示的な実装形態に係る改良されたＤＲＸメカニズムに基づく、アンライセンス無線セルで通信するときのｇＮＢとＵＥとの間のインタラクションを示す図。
【図１８】ＳＭＴＣ測定ウインドウに基づいて複数の異なる期間をトリガーする、一実施形態の別の例示的な実装形態に係る改良されたＤＲＸメカニズムに基づく、アンライセンス無線セルで通信するときのｇＮＢとＵＥとの間のインタラクションを示す図。
【発明を実施するための形態】
【００１８】
［本開示の基礎］
［５Ｇ  ＮＲシステムのアーキテクチャおよびプロトコルスタック］
背景技術のセクションにおいて提示されたように、３ＧＰＰは、最大１００ＧＨｚの周波数範囲で動作する新しい無線アクセス技術（ＮＲ）の開発を含む、第５世代のセルラー技術（簡潔に５Ｇと呼ばれる）についての次のリリースに取り組んでいる。３ＧＰＰは、緊急の市場ニーズおよびより長期的な要件の両方を適時に満たすＮＲシステムを成功裏に標準化するために必要な技術要素を特定して開発しなければならない。これを達成するために、検討項目「New Radio Access Technology（新しい無線アクセス技術）」では、無線インタフェースおよび無線ネットワークアーキテクチャを進化・発展させることが考慮されている。結果および合意事項は、非特許文献２（その全体が参照により本明細書に組み込まれる）にまとめられている。
【００１９】
とりわけ、システムアーキテクチャ全体に関して暫定的な合意がなされた。ＮＧ−ＲＡＮ（次世代−無線アクセスネットワーク）はｇＮＢを含み、これは、ＵＥに向かうＮＧ−無線アクセスユーザプレーンプロトコル（ＳＤＡＰ／ＰＤＣＰ／ＲＬＣ／ＭＡＣ／ＰＨＹ）および制御プレーンプロトコル（ＲＲＣ）を終端させる。ｇＮＢは、Ｘｎインタフェースによって互いと相互接続される。ｇＮＢはまた、次世代（ＮＧ：Next Generation）インタフェースによってＮＧＣ（次世代コア：Next Generation Core）に接続され、より具体的には、ＮＧ−ＣインタフェースによってＡＭＦ（アクセスおよびモビリティ管理機能：Access and Mobility Management Function）（例えば、ＡＭＦを実行する特定のコアエンティティ）に接続され、ＮＧ−ＵインタフェースによってＵＰＦ（ユーザプレーン機能：User Plane Function）（例えば、ＵＰＦを実行する特定のコアエンティティ）に接続される。ＮＧ−ＲＡＮアーキテクチャは、非特許文献３の第４節（参照により本明細書に組み込まれる）に基づいて図１に示されている。
【００２０】
例えば非特許文献４（その全体が参照により本明細書に組み込まれる）に反映されているように、現在、さまざまな異なる配置シナリオが、サポートされるように検討されている。この文献には、例えば、非中央集中型の配置シナリオ（非特許文献４の第５．２節）（中央集中型の配置は第５．４節に示されている）が提示されており、このシナリオでは、５Ｇ  ＮＲをサポートする基地局を配置することができる。図２は、例示的な非中央集中型の配置シナリオを示しており、非特許文献４の図５．２．−１に基づいているが、ＬＴＥ  ｅＮＢおよびユーザ機器（ＵＥ：user equipment）をさらに示しており、ＵＥは、ｇＮＢおよびＬＴＥ  ｅＮＢの両方に接続される。ＮＲ  ５Ｇのための新しいｅＮＢは、ｇＮＢと例示的に呼ばれることがある。ｅＬＴＥ  ｅＮＢ（非特許文献４に例示的に定義されている）は、ｅＮＢの進化型であり、ＥＰＣ（進化型パケットコア（Evolved Packet Core））およびＮＧＣ（次世代コア）への接続をサポートする。
【００２１】
ＮＲにおけるユーザプレーンプロトコルスタックは、現在、非特許文献３の第４．４．１節に定義されている。ＰＤＣＰ（パケットデータコンバージェンスプロトコル：Packet Data Convergence Protocol）サブレイヤ、ＲＬＣ（無線リンク制御：Radio Link Control）サブレイヤ、およびＭＡＣ（媒体アクセス制御：Medium Access Control）サブレイヤは、ネットワーク側ではｇＮＢにおいて終端する。加えて、非特許文献３の第６．５節に記載されているように、ＰＤＣＰの上に、新しいアクセス層（ＡＳ）サブレイヤ（サービスデータアダプテーションプロトコル（ＳＤＡＰ：Service Data Adaptation Protocol））が導入される。ＮＲにおける制御プレーンプロトコルスタックは、非特許文献３の第４．４．２節に定義されている。レイヤ２機能の概要は、非特許文献３の第６節に記載されている。ＰＤＣＰサブレイヤ、ＲＬＣサブレイヤ、およびＭＡＣサブレイヤの機能は、それぞれ非特許文献３の第６．４節、第６．３節、および第６．２節にリストされている。ＲＲＣレイヤの機能は、非特許文献３の第７節にリストされている。非特許文献３の上に挙げた節は、参照により本明細書に組み込まれる。
【００２２】
５Ｇシステムについて例示的に想定されている新しいＮＲレイヤは、ＬＴＥ（−Ａ）通信システムにおいて現在使用されているユーザプレーンレイヤ構造に基づきうる。
【００２３】
非特許文献１に記載されているように、ＮＲのユースケース／配置シナリオには、高度モバイルブロードバンド（ｅＭＢＢ）、超高信頼・低遅延通信（ＵＲＬＬＣ）、大規模マシンタイプ通信（ｍＭＴＣ）が含まれ、これらは、データレート、遅延、およびカバレッジに関する多様な要件を有する。例えば、ｅＭＢＢは、ＩＭＴ−Ａｄｖａｎｃｅｄによって提供される値の３倍のオーダーのピークデータレート（ダウンリンクでは２０Ｇｂｐｓ、アップリンクでは１０Ｇｂｐｓ）およびユーザ側で実感されるデータレートをサポートすることが期待される。一方、ＵＲＬＬＣの場合には、より厳しい要件として、超低遅延（ユーザプレーン遅延についてはアップリンクおよびダウンリンクそれぞれで０．５ｍｓ）および高信頼性（１ｍｓ以内で１−１０−５）が課せられる。最後に、ｍＭＴＣは、高接続密度（都市環境では１ｋｍ２あたり１，０００，０００個のデバイス）、過酷な環境における広いカバレッジ、デバイスコストを下げるための極めて長寿命（１５年）のバッテリを必要とする。
【００２４】
したがって、あるユースケースに適したＯＦＤＭニューメロロジー（例えば、サブキャリア間隔、ＯＦＤＭシンボル期間、サイクリックプレフィックス（ＣＰ）期間、スケジューリング間隔あたりのシンボル数）が、別のユースケースではうまく機能しないことがある。例えば、低遅延サービスは、ｍＭＴＣサービスよりも短いシンボル期間（したがってより大きいサブキャリア間隔）、および／または、少ないスケジューリング間隔（ＴＴＩとも称される）あたりの少ないシンボル、を必要とすることがある。さらには、大きいチャネル遅延拡散を伴う配置シナリオは、短い遅延拡散を伴うシナリオよりも長いＣＰ期間を必要とする。同様のＣＰオーバーヘッドを保つために、それに応じてサブキャリア間隔は最適化されるべきである。３ＧＰＰ  ＲＡＮ１＃８４ｂｉｓ会合（２０１６年４月、釜山）において、ＮＲではサブキャリア間隔の２つ以上の値をサポートする必要があることが合意された。したがって、現在のところ、１５ｋＨｚ、３０ｋＨｚ、６０ｋＨｚ、．．．というサブキャリア間隔が検討されている。シンボル期間Ｔｕおよびサブキャリア間隔Δｆは、式Δｆ＝１／Ｔｕを通じて、直接的に関係している。ＬＴＥシステムの場合と同様に、１ＯＦＤＭ／ＳＣ−ＦＤＭＡシンボルの長さに対する１サブキャリアから構成される最小リソース単位を表すのに、用語「リソースエレメント」を使用することができる。
【００２５】
新しい無線システム５Ｇ−ＮＲでは、各ニューメロロジーおよびキャリアについて、サブキャリアおよびＯＦＤＭシンボルからなるリソースグリッドが、アップリンクおよびダウンリンクそれぞれにおいて定義される。リソースグリッド内の各エレメントは、リソースエレメントと呼ばれ、周波数領域における周波数インデックスと時間領域におけるシンボル位置とに基づいて特定される。非特許文献５（参照により本明細書に組み込まれる）から明らかであるように、いくつかの定義はすでに実現されている。
【００２６】
［制御シグナリング／ＰＤＣＣＨ／ＤＣＩ／サーチスペース］
５Ｇ  ＮＲにおけるＤＣＩ（ダウンリンク制御情報）の主たる目的は、ＬＴＥにおけるＤＣＩと同じであり、すなわち、ダウンリンクデータチャネル（例えばＰＤＳＣＨ）またはアップリンクデータチャネル（例えばＰＵＳＣＨ）をスケジューリングする特別な情報セットである。５Ｇ  ＮＲには、非特許文献６の第７．３．１節（参照により本明細書に組み込まれる）から明らかであるように、複数の異なるＤＣＩフォーマットがすでに定義されている。以下の表は、そこから得られたものである。
【表１】
2021532620.tif 000003
【００２７】
異なるＤＣＩフォーマットに関するより詳細な情報は、上に引用した非特許文献６から得ることができる。
【００２８】
ＰＤＣＣＨサーチスペースは、ＰＤＣＣＨ（ＤＣＩ）を運ぶことができる、ダウンリンクリソースグリッド（時間−周波数リソース）内の領域である。ＵＥは、これらのサーチスペースにわたりブラインド復号を実行して、ＰＤＣＣＨデータ（すなわちＤＣＩ）の検出を試みる。５Ｇ  ＮＲにおけるサーチスペースのコンセプトは、高いレベルではＬＴＥのサーチスペースに似ているが、詳細に関しては多くの違いが存在する。
【００２９】
ＵＥは、ＰＤＣＣＨ（ＤＣＩ）を復号するために、例えば、位置（ＣＣＥインデックス）、構造（アグリゲーションレベル、インターリービングなど）、およびスクランブリングコード（ＲＮＴＩ）などの正確な値を認識する。しかしながら、これらの情報は、通常は、ＵＥに事前に通知されず、ほとんどの場合、これらの値は動的に変化する。唯一ＵＥに知られるのは、ＰＤＣＣＨ（ＤＣＩ）を運ぶ可能性がある特定の範囲に関する情報である。ＵＥは、この特定の範囲に関する情報について、事前定義されたルールまたはシグナリングメッセージによって認識する。ＵＥは、この範囲内で、試行錯誤法に基づき、多くの異なる種類のパラメータ（ＣＣＥインデックス、アグリゲーションレベル、ＲＮＴＩ）を用いてＰＤＣＣＨ／ＤＣＩの復号を試みなければならない。この復号方法は「ブラインド復号」と呼ばれる。ＵＥがブラインド復号を実行する事前定義される領域は、「サーチスペース」と呼ばれる。
【００３０】
「ＵＥ固有サーチスペース」および「共通サーチスペース」と呼ばれる２種類のサーチスペースが存在する。ＵＥ固有サーチスペースは、例えばＲＲＣシグナリングメッセージを介してＵＥに通知される。これに応じて、ＵＥは、ＲＲＣの確立を実行し、ＵＥ固有サーチスペースに関する情報を取得する。しかしながら、ＵＥが、ＲＲＣの確立を完了する前であっても、何らかのＰＤＣＣＨを復号することを容易にするために、例えば、ＵＥは、ＲＡＣＨプロセス中にＳＩＢ１を受信するためのＰＤＣＣＨまたはさまざまなＤＣＩ（ＰＤＣＣＨ）を検出することができる（例えば、メッセージ２／メッセージ４を受信するためのＤＣＩ）。この種類の状況および他の状況においては、ネットワーク（ｇＮＢ）は、（ＲＲＣシグナリングを介さずに、）例えば事前定義されるアルゴリズムによってＵＥが認識できる特別な領域において、ＰＤＣＣＨを送信する。この特別な領域は、共通サーチスペースと呼ばれ、したがって、すべてのＵＥによって取得することができる。
【００３１】
サーチスペースおよびＰＤＣＣＨを使用して制御情報を受信するためのＵＥの手順は、非特許文献７の第１０節（参照により本明細書に組み込まれる）に記載されている。この第１０節から明らかであるように、以下の表に例示的にリストされている複数の異なるサーチスペースタイプが存在する。
【表２】
2021532620.tif 000004
【００３２】
ＲＮＴＩ（無線ネットワーク一時識別子（Radio Network Temporary Identifier）を表す）は、識別番号であり、基本的に、ＬＴＥからすでに知られているコンセプトと同じコンセプトに依拠する。上の表から明らかであるように、５Ｇ−ＮＲ通信システムにおいて異なる目的に使用することのできる複数の異なるＲＮＴＩが存在する。異なるＤＣＩ（すなわち異なるフォーマットのＤＣＩ）は、一般に異なるＲＮＴＩでスクランブルされる（より具体的にはＤＣＩのＣＲＣ部分）。例えば、Ｐ−ＲＮＴＩ（ページングＲＮＴＩ（Paging RNTI））は、ページングメッセージに使用される。ＳＩ−ＲＮＴＩ（システム情報ＲＮＴＩ（System Information RNTI））は、ＳＩＢ（システム情報ブロックメッセージ）の送信に使用される。ＳＦＩ−ＲＮＴＩ（スロットフォーマットインジケータＲＮＴＩ（Slot-Format-Indicator-RNTI））は、スロット内のＯＦＤＭシンボルがダウンリンクシンボルであるかアップリンクシンボルであるかフレキシブルシンボルであるかをＵＥに通知するために、ＤＣＩフォーマット２＿０と組み合わせて使用される。ＩＮＴ−ＲＮＴＩ（中断送信指示ＲＮＴＩ（Interrupted Transmission Indication-RNTI））は、ＵＥがこのＵＥを対象としている送信が存在しないと想定できるＰＲＢまたはＯＦＤＭシンボルをＵＥに通知するために、ＤＣＩフォーマット２＿１と組み合わせて使用される。Ｃ−ＲＮＴＩ（セルＲＮＴＩ（Cell RNTI））は、一般に特定のＵＥへの送信に使用される。ＣＳ−ＲＮＴＩ（設定済みスケジューリングＲＮＴＩ（Configured Scheduling RNTI））は、設定されたスケジューリングリソース割当ての一部として５Ｇにおいて使用され、これにより、ＲＲＣは、ＣＳ−ＲＮＴＩを使用してＣＳグラントの周期を定義することが可能になり、したがって、ＲＲＣによって定義された周期に従ってリソースを暗黙的に再使用することができる。５Ｇ  ＮＲにおいて現在までに定義されている複数の異なるＲＮＴＩに関する概要およびさらなる情報は、非特許文献６（その全体が参照により本明細書に組み込まれる）において見つけることができる。とりわけ、以下の表は、この文献から得られたものである。
【表３】
2021532620.tif 000005
【００３３】
［ライセンス補助アクセス（ＬＡＡ）および拡張ＬＡＡ（ｅＬＡＡ）］
ＬＴＥをアンライセンスバンドに拡張する理由は、ライセンスバンドの量が限られていることに加えて、無線ブロードバンドデータの需要がますます成長しているためである。したがって、アンライセンス周波数帯は、セルラーオペレーターが自身のサービス提供を拡大するための補助的なツールとみなす傾向が強まっている。Ｗｉ−Ｆｉ（登録商標）などの他の無線アクセス技術（ＲＡＴ）に依拠することと比較した、アンライセンスバンドにおけるＬＴＥの利点は、アンライセンス周波数帯へのアクセスを伴うＬＴＥプラットフォームを補足することによって、オペレーターおよびベンダーが、無線・コアネットワークにおけるＬＴＥ／ＥＰＣハードウェアの既存の投資および今後の投資を活用できることである。
【００３４】
しかしながら、アンライセンス周波数帯へのアクセスは、必然的にアンライセンス周波数帯におけるＷｉ−Ｆｉ（登録商標）などの他の無線アクセス技術（ＲＡＴ）と共存することになるため、ライセンス周波数帯へのアクセスの品質には絶対に匹敵し得ないことを考慮しなければならない。したがって、アンライセンスバンドでのＬＴＥの運用は、少なくとも最初は、アンライセンス周波数帯でのスタンドアロン運用ではなく、ライセンス周波数帯でのＬＴＥの補足とみなされていた。この想定に基づき、３ＧＰＰは、少なくとも１つのライセンスバンドと併用してアンライセンスバンドでＬＴＥを運用することに対して、ライセンス補助アクセス（ＬＡＡ：Licensed Assisted Access）という用語を確立した。ただし、将来におけるアンライセンス周波数帯でのＬＴＥのスタンドアロン運用（すなわちライセンスセルによって補助されない）が排除されるものではなく、現在では、後述するように５Ｇ  ＮＲにおいてスタンドアロン運用が予測されている。
【００３５】
３ＧＰＰにおいて現在意図されている一般的なＬＡＡ手法は、すでに策定されているリリース１２のキャリアアグリゲーション（ＣＡ）のフレームワークを最大限に利用することであり、ここで、ＣＡのフレームワークの構成は、前述したように、いわゆるプライマリセル（ＰＣｅｌｌ）キャリアと１つ以上のセカンダリセル（ＳＣｅｌｌ）キャリアとを含む。ＣＡは、一般的に、セルの自己スケジューリング（スケジューリング情報とユーザデータとが同じコンポーネントキャリアで送信される）、および、セル間のクロスキャリアスケジューリング（ＰＤＣＣＨ／ＥＰＤＣＣＨに関するスケジューリング情報とＰＤＳＣＨ／ＰＵＳＣＨに関するユーザデータとが異なるコンポーネントキャリアで送信される）の両方をサポートする。
【００３６】
図３は、非常に基本的なシナリオを示しており、ライセンスＰＣｅｌｌと、ライセンスＳＣｅｌｌ  １と、さまざまなアンライセンスＳＣｅｌｌ  ２、３、および４（例示的にスモールセルとして描かれている）と、が存在する。アンライセンスＳＣｅｌｌ  ２、３、および４の送信／受信ネットワークノードは、ｅＮＢによって管理されるリモート無線ヘッドであってもよいし、または、ネットワークにアタッチされるがｅＮＢによって管理されないノードであってもよい。簡潔さのため、これらのノードからｅＮＢまたはネットワークへの接続は、この図において明示的には示されていない。
【００３７】
現在、ＬＴＥを対象に３ＧＰＰで想定されている基本的なアプローチは、ＰＣｅｌｌがライセンスバンドで運用され、その一方で、１つ以上のＳＣｅｌｌがアンライセンスバンドで運用されることである。この方式の利点は、制御メッセージと、高いサービス品質（ＱｏＳ）が求められるユーザデータ（例えば音声および映像など）と、を高い信頼性で送信するためにＰＣｅｌｌを使用することができることであるが、その一方で、アンライセンス周波数帯におけるＳＣｅｌｌは、必然的に他のＲＡＴと共存するため、シナリオによって程度は異なるが、ＱｏＳの大幅な低下をもたらすことがある。
【００３８】
ＬＡＡは、５ＧＨｚのアンライセンスバンドにフォーカスすることが合意された。したがって、最も重要な課題の１つは、これらのアンライセンスバンドで動作するＷｉ−Ｆｉ（登録商標）（ＩＥＥＥ８０２．１１）システムとの共存である。ＬＴＥとＷｉ−Ｆｉ（登録商標）などの他の技術との間の公正な共存をサポートするとともに、同じアンライセンスバンドにおける複数の異なるＬＴＥオペレーター間の公正性を保証する目的で、アンライセンスバンドにおけるＬＴＥのチャネルアクセスは、地理的領域および特定の周波数帯に応じて部分的に異なる可能性がある特定の規制のセットに従わなければならない。５ＧＨｚのアンライセンスバンドで運用する場合の、すべての領域における規制要件の包括的な説明は、非特許文献８に記載されている。ＬＡＡ手順を設計するときに考慮しなければならない規制要件は、領域および周波数帯によって異なるが、動的周波数選択（ＤＦＳ：Dynamic Frequency Selection）、送信電力制御（ＴＰＣ：Transmit Power Control）、リッスンビフォアトーク（ＬＢＴ：Listen Before Talk）、限られた最大送信時間長（チャネル占有時間またはチャネル取得時間とも称される）を有する不連続送信を含む。３ＧＰＰの意図は、ＬＡＡについてのグローバルな単一の枠組みを目標とすることであり、このことは、基本的には、システムを設計する場合、異なる領域および５ＧＨｚ帯域に関するすべての要件を考慮しなければならないことを意味する。
【００３９】
装置がチャネルを使用する前に空きチャネル判定（ＣＣＡ）チェックを適用するためのメカニズムとして、リッスンビフォアトーク（ＬＢＴ）手順が定義されている。ＣＣＡは、少なくともエネルギー検出を利用して、アンライセンスチャネルにおいて他の信号が存在していることまたは存在していないことを判定し、チャネルが占有されているか空いているかを判定する。例えば欧州および日本の規制は、アンライセンスバンドにおいてＬＢＴを用いることを必要とする。ＬＢＴを介したこのキャリア検知は、規制要件とは別に、アンライセンス周波数帯を公正に共有するための１つの方法であり、したがって、ＬＢＴは、１つのグローバルな解決策の枠組みの中でのアンライセンス周波数帯における公正かつフレンドリーな運用のために不可欠な機能であると考えられる。
【００４０】
アンライセンス周波数帯では、チャネルの利用可能性をつねに保証できるわけではない。加えて、欧州および日本などの特定の領域は、連続的な送信を禁止しており、アンライセンス周波数帯における送信バーストの最大持続時間に対して制限を課している（最大チャネル占有期間）。したがって、送信の最大持続時間が限られた不連続送信は、ＬＡＡにおいて必須の機能である。
【００４１】
ＬＢＴに関するこの欧州の規制に従って、装置は、無線チャネルをデータ送信によって占有する前に、空きチャネル判定（ＣＣＡ）を実行しなければならない。例えばエネルギー検出に基づいて、チャネルを、空いているものとして検出した後にのみ、アンライセンスチャネルにおける送信を開始することが許可される。装置は、特に、ＣＣＡ中、特定の最小時間（例えば、欧州では２０μｓ、非特許文献９の第４．８．３節を参照されたい）にわたりチャネルを監視しなければならない。検出されたエネルギーレベルが、設定されているＣＣＡ閾値（例えば、欧州では−７３ｄＢｍ／ＭＨｚ、非特許文献９の第４．８．３節を参照されたい）を超える場合、チャネルは占有されているとみなされ、逆に、検出された電力レベルが、設定されているＣＣＡ閾値より低い場合、チャネルは空いているとみなされる。チャネルが占有されていると判定された場合、次の固定フレーム期間（Fixed Frame Period）の間、装置はそのチャネルにおいて送信しない。チャネルが空いているものと分類された場合、装置はただちに送信することが許可される。送信の最大持続時間は、同じ帯域で動作する他の装置との公正なリソース共有を促進する目的で、制限される。
【００４２】
ＣＣＡは、繰り返し実行されてよく、オプションとして間にバックオフ時間をはさむ。
【００４３】
ＣＣＡにおけるエネルギー検出は、チャネル帯域幅全体（例えば、５ＧＨｚのアンライセンスバンドにおいて２０ＭＨｚ）にわたり実行されてよく、このことは、そのチャネル内のＬＴＥ  ＯＦＤＭシンボルのすべてのサブキャリアの受信電力レベルが、ＣＣＡを実行した装置における評価されるエネルギーレベルに寄与することを意味する。
【００４４】
上述したＣＣＡに加えて、非特許文献９の第４．９．２．２節（参照により本明細書に組み込まれる）によれば、装置が負荷ベース装置（ＬＢＥ：Load Based Equipment）として分類される場合、追加の拡張ＣＣＡ（ＥＣＣＡ）を適用するように要求されることがある。ＥＣＣＡは、ＣＣＡ監視タイムスロットにランダム係数Ｎを乗じた持続時間にわたる追加のＣＣＡ監視時間を含む。Ｎは、送信を開始する前に監視しなければならない合計アイドル期間をもたらす空きアイドルスロット（clear idle slot）の数を規定する。
【００４５】
さらに、装置が、所与のキャリアの利用可能性を再評価すること（すなわちＬＢＴ／ＣＣＡ）なく、そのキャリアでの送信を有する合計時間は、チャネル占有時間（Channel Occupancy Time）と定義されている（非特許文献９の第４．８．３．１節を参照されたい）。チャネル占有時間は、１ｍｓ〜１０ｍｓの範囲内であり、最大チャネル占有時間は、欧州において現在定義されているように例えば４ｍｓとすることができる。さらに、アンライセンスセルにおいて送信した後にＵＥに送信が許可されない最小アイドル時間も存在し、最小アイドル時間は、チャネル占有時間の少なくとも５％である。ＵＥは、アイドル期間が終わる前に、例えば新たなＣＣＡを実行することができる。この送信挙動が、図４に概略的に示されている。この図は、非特許文献９から得られたものである（この文献内の図２：「Example of timing for Frame Based Equipment」）。
【００４６】
図５は、特定の周波数帯域（アンライセンスセル）におけるＷｉ−Ｆｉ（登録商標）送信とＬＡＡ  ＵＥ送信との間のタイミングを示している。図５から理解できるように、Ｗｉ−Ｆｉ（登録商標）バーストの後、ＣＣＡギャップは、ｅＮＢが、例えば予約信号を送信することによってアンライセンスセルを次のサブフレーム境界まで「予約する」前であると想定される。次に、実際のＬＡＡ  ＤＬバーストが開始される。これは、ＬＴＥ  ＵＥにも同様に適用され、ＬＴＥ  ＵＥは、ＣＣＡを成功裏に実行した後、予約信号を送信することによってサブフレームを予約し、次に、実際のＬＡＡ  ＵＬバーストを開始する。
【００４７】
上述したように、ＬＡＡは、データレートを高めるためにｅＮＢによるダウンリンクのみの動作を許可する。拡張ライセンス補助アクセス（ｅＬＡＡ）は、３ＧＰＰリリース１４の一部であり、とりわけ、ＵＥがアップリンク方向にデータを送信するためにアンライセンスバンドにどのようにアクセスできるかを追加的に定義している。したがって、ＬＡＡとの１つの大きな違いは、アップリンク送信をどのように処理するかである。概して、ＬＴＥにおけるすべてのアップリンク送信は、スケジューリングされ、したがって、サービングＬＴＥ基地局（ｅＮＢ）の制御下にある。このことは、装置間のチャネル競合に影響を及ぼすため、ダウンリンク動作に対してＬＡＡにおいて定義されていた必要なＬＢＴ（リッスンビフォアトーク）方式が、アップリンク方向において機能するように適応させられる必要がある。例示的に、プライマリセル（ＰＣｅｌｌ）がつねにライセンス周波数帯域に位置しており、一方で、セカンダリセル（ＳＣｅｌｌ）がアンライセンス周波数帯域に位置していると例示的に想定する。
【００４８】
アンライセンスバンドの使用も、新しい５Ｇ−ＮＲ開発における１つの課題になるであろう。ベースラインとしてＮＲライセンス設計を使用することが決定されたのは最近であり、以下のようなさらなる展開シナリオが検討される。
・ＬＴＥ  ＬＡＡに類似する、ＮＲライセンスセル（例えばＰＣｅｌｌ）とＮＲアンライセンスセル（例えばＳＣｅｌｌ）との間のキャリアアグリゲーション
・（ＬＴＥおよびＮＲとの）デュアルコネクティビティ；ＥＮＵ−ＤＣでは、マスタｅＮＢがライセンス周波数帯で動作し、セカンダリｇＮＢがアンライセンス周波数帯で動作する；ＮＮＵ−ＤＣでは、マスタＮＢがライセンス周波数帯で動作し、セカンダリｇＮＢがアンライセンス周波数帯で動作する
・スタンドアロン（ＳＡ）：ＮＲ−Ｕ  ＳＡでは、スタンドアロンＮＲ  ＰＣｅｌｌがアンライセンス周波数帯で動作する
・ダウンリンクがアンライセンスバンドであり、アップリンクがライセンスバンドであるＮＲ無線セル
【００４９】
ＮＲでは、アンライセンスキャリアに対してリッスンビフォアトークが実行される。特に、送信側エンティティがＬＢＴを実行し、空きチャネル判定（ＣＣＡ）に成功した後にチャネル占有が許可される。
【００５０】
上に挙げたスタンドアロンシナリオは、特に課題を伴うものである。なぜならば、ネットワーク（ｇＮＢ）が、ライセンスキャリア（ＬＴＥにおけるライセンスＰＣｅｌｌキャリアなど）にまったく依拠することなくＵＥと通信するからである。ＵＥへの唯一のチャネルは、アクセスするのにＬＢＴに成功する必要があるアンライセンスチャネルである。
【００５１】
［同期信号ブロック測定タイミング設定（ＳＭＴＣ）：ＰＳＳ／ＳＳＳ，ＰＢＣＨ］
ＮＲは、いわゆる同期信号ブロック（ＳＳブロック（ＳＳＢ））を導入しており、ＳＳＢは、プライマリ同期信号（ＰＳＳ）、セカンダリ同期信号（ＳＳＳ）、および物理報知チャネル（ＰＢＣＨ）を含む。ＬＴＥでも、これら３つの信号ＰＳＳ、ＳＳＳ、およびＰＢＣＨが使用されたが、１つのＳＳＢの一部としてではない。ＮＲでは、ＳＳＢのこれら３つの構成要素が常に一緒に送信され、例えば、これらは同じ周期を有する。所与のＳＳＢは、ＳＳバーストセット内で繰り返されてもよく、ＳＳバーストセットは、ｇＮＢビームスウィーピング送信に使用できる可能性がある。ＳＳバーストセットは、特定の期間（５ｍｓのウインドウなど）に制限されてもよい。初期セル選択では、ＵＥは、２０ｍｓという、ＳＳバーストセットのデフォルト周期を想定することができる。
【００５２】
１つ以上のＳＳＢが、ＳＳバーストセットを構成する。ＳＳバーストセット内のＳＳＢの最大数とＳＳＢマッピングパターンと無線フレームにおけるスロットに対するＳＳバーストセットのマッピングとを含むＳＳバーストセット構成は、キャリア周波数に依存しうる。ＵＥが無線リソース管理（ＲＲＭ）測定における電力消費および複雑さを低減することを支援するために、ＳＳバーストセット内でのＳＳＢの送信は、ＳＳバーストセット構成にかかわらず、５ｍｓのウインドウに制限される。ＳＳバーストセット内のＳＳＢの最大数は、例えば、特定の周波数範囲（例えば、４ＧＨｚまで）については４である、または、３〜６ＧＨｚについては８である、または、５〜５２．６ＧＨｚについては６４である。さらに、実際に送信されるＳＳＢの数は、この最大数未満であってよい。
【００５３】
実際に送信されるＳＳＢの（１つ以上の）位置は、ＵＥに報告されてもよい。例えば、複数の異なるＳＳＢマッピングパターンが提供されてもよく、この場合、いくつかのシンボルは、スロットの先頭においてＤＬ制御のために保持され、いくつかのシンボルは、ＵＬ／ＤＬ切替えを可能にするようにガード期間およびアップリンク制御のために保持される。
【００５４】
ＳＳバーストの最小期間である５ｍｓが考慮される場合、報知チャネル（ＢＣＨ）の送信時間間隔（ＴＴＩ）の更新期間である８０ｍｓ内には、ＳＳバーストセットの１６個の可能な位置が存在する。ＳＳバーストセットの１６個の可能な位置は、システムフレーム番号（ＳＦＮ：System Frame Number）の最下位ビット（ＬＳＢ）から上位に３ビットおよび１ビットの半無線フレームインデックス（half radio frame index）によって識別することができる。ＳＳＢは、ＳＳバーストセット内で繰り返されることが知られている。ＵＥは、ＳＳＢを検出すると、そのＰＢＣＨからタイミング情報を取得し、このタイミング情報から、無線フレーム番号と無線フレーム内のスロットインデックスとスロット内のＯＦＤＭシンボルインデックスとを識別することができる。
【００５５】
測定タイミング設定（すなわち、ＵＥがＳＳＢを測定するタイミング機会）を設定するために使用されるＳＳＢ−ＭＴＣ情報要素（ＩＥ）を定義する３ＧＰＰ技術規格である非特許文献１０の例えば第６．３．２節には、いくつかの定義がすでに提供されている。
【００５６】
ＳＳＢ−ＭＴＣ  ＩＥは、測定タイミング設定（すなわち、ＵＥがＳＳＢを測定するタイミング機会）を設定するために使用される。ＳＭＴＣ（ＳＭＴＣ１）は現在のセルを参照し、ＳＭＴＣ２は隣接するセルを参照する。
【数１】
2021532620.tif 000006
【表４】
2021532620.tif 000007
【００５７】
［ＬＴＥにおける不連続受信（ＤＲＸ）］
バッテリの節約は、移動通信において重要な課題である。ＵＥにおけるバッテリ消費を減らすために、ＵＥがＰＤＣＣＨをモニタする時間を最小にするためのメカニズムが使用され、このメカニズムは不連続受信（ＤＲＸ）機能と呼ばれる。
【００５８】
不連続受信（ＤＲＸ）機能は、ＲＲＣ＿ＩＤＬＥに対して設定することができ、この場合に、ＵＥは、固有のＤＲＸ値またはデフォルトのＤＲＸ値（defaultPagingCycle）のいずれかを使用する。デフォルトは、システム情報の中でブロードキャストされ、３２無線フレーム、６４無線フレーム、１２８無線フレーム、および２５６無線フレームという値を有することができる。固有の値およびデフォルトの値の両方が利用可能である場合、これら２つの値のうち短い方の値がＵＥによって選択される。ＵＥは、ＤＲＸサイクルあたり１回のページングオケージョンにおいてウェイクアップする必要がある（ページングオケージョンは１サブフレームである）。ＤＲＸ機能は、「ＲＲＣ＿ＣＯＮＮＥＣＴＥＤ」状態にあるＵＥに対しても設定することができ、したがって、ＵＥは、ダウンリンク制御情報を対象として常にダウンリンクチャネルをモニタする（簡潔に表現すれば「ＵＥがＰＤＣＣＨをモニタする」）必要はない。ユーザ機器の妥当なバッテリ消費を提供するために、３ＧＰＰ  ＬＴＥ（リリース８／９）および３ＧＰＰ  ＬＴＥ−Ａ（リリース１０）は、不連続受信（ＤＲＸ）のコンセプトを導入した。技術規格である非特許文献１１の第５．７節は、ＤＲＸを説明しており、参照により本明細書に組み込まれる。
【００５９】
ＤＲＸ  ＵＥ挙動を定義するために、以下のパラメータが利用可能である。すなわち、移動ノードがアクティブである（すなわちＤＲＸアクティブ時間にある）オン期間、および、移動ノードがＤＲＸにある（すなわちＤＲＸアクティブ時間ではない）期間である。
−オン期間：
ユーザ機器が、ＤＲＸからウェイクアップした後にＰＤＣＣＨを受信およびモニタする、ダウンリンクサブフレーム単位での期間、すなわち、より具体的にはＰＤＣＣＨを含むサブフレーム（ＰＤＣＣＨサブフレームとも称する）単位での期間。なお、本発明全体を通じて、用語「ＰＤＣＣＨ」は、（設定されているときのサブフレーム内の）ＰＤＣＣＨまたはＥＰＤＣＣＨを意味する、あるいは、Ｒ−ＰＤＣＣＨが設定されておりかつ中断されていない中継ノードの場合にはＲ−ＰＤＣＣＨを意味することに留意されたい。ユーザ機器は、ＰＤＣＣＨを成功裏に復号した場合、アウェイク／アクティブ状態を維持し、インアクティビティタイマー（inactivity timer）を開始する。［１〜２００個のサブフレーム；１６ステップ：１〜６、１０〜６０、８０、１００、２００］
−ＤＲＸインアクティビティタイマー：
ユーザ機器が、ＰＤＣＣＨを最後に成功裏に復号してから、さらなるＰＤＣＣＨを成功裏に復号するのを待機する、ダウンリンクサブフレーム単位での期間。ＵＥは、この期間中にＰＤＣＣＨを成功裏に復号できないとき、再びＤＲＸに入る。ユーザ機器は、最初の送信（すなわち再送ではない）のみについてＰＤＣＣＨを１回成功裏に復号した後に、インアクティビティタイマーを再び開始する。［１〜２５６０個のサブフレーム；２２ステップ、１０スペア：１〜６、８、１０〜６０、８０、１００〜３００、５００、７５０、１２８０、１９２０、２５６０］
−ＤＲＸ再送タイマー：
これは、最初の利用可能な再送時刻の後にユーザ機器がダウンリンク再送を予測する、連続するＰＤＣＣＨサブフレームの数を指定する。［１〜３３個のサブフレーム；８ステップ：１、２、４、６、８、１６、２４、３３］
−短ＤＲＸサイクル：
これは、短ＤＲＸサイクルにおいてオン期間の後、場合によっては非アクティブ期間が続く周期的な繰り返しを指定する。このパラメータはオプションである。［２〜６４０個のサブフレーム；１６ステップ：２、５、８、１０、１６、２０、３２、４０、６４、８０、１２８、１６０、２５６、３２０、５１２、６４０］
−短ＤＲＸサイクルタイマー：
これは、ＤＲＸインアクティビティタイマーが満了した後にユーザ機器が短ＤＲＸサイクルに従う、連続するサブフレームの数を指定する。このパラメータはオプションである。［１〜１６個のサブフレーム］
−長ＤＲＸサイクル開始オフセット：
長ＤＲＸサイクルにおいてオン期間の後、場合によっては非アクティブ期間が続く周期的な繰り返し、および、オン期間が始まるときの、サブフレーム単位でのオフセットを指定する（非特許文献１１の第５．７節に定義されている式によって決定される）。［サイクル長１０〜２５６０個のサブフレーム；１６ステップ：１０、２０、３０、３２、４０、６４、８０、１２８、１６０、２５６、３２０、５１２、６４０、１０２４、１２８０、２０４８、２５６０；オフセットは［０〜選択されたサイクルのサブフレーム長］の間の整数］
【００６０】
ＵＥがアウェイクしている合計期間は、「アクティブ時間」またはＤＲＸアクティブ時間と呼ばれる。アクティブ時間は、例えば、ＤＲＸサイクルのオン期間と、インアクティビティタイマーが満了していない間にＵＥが連続受信を行っている時間と、１ＨＡＲＱ  ＲＴＴの後にダウンリンク再送を待機している間にＵＥが連続受信を行っている時間と、を含む。同様にアップリンクについては、ＵＥは、アップリンク再送グラントを受信できる（すなわち、初期アップリンク送信の後、再送の最大回数に達するまでの８ｍｓ毎の）サブフレームにおいてアウェイクしている（すなわち、ＤＲＸアクティブ時間にある）。上記に基づくと、最小アクティブ時間は、オン期間に等しい固定長であり、最大アクティブ時間は、例えばＰＤＣＣＨのアクティビティに応じて可変である。
【００６１】
「ＤＲＸ期間」または「ＤＲＸオフ期間」は、バッテリを節約するためにＵＥがダウンリンクチャネルの受信をスキップできる（すなわち、ダウンリンクチャネルをモニタする必要がない）ダウンリンクサブフレームの期間である。ＤＲＸの動作は、電力を節約するために、（その時点で有効なＤＲＸサイクルに従って）無線回路を反復的に非アクティブにする機会を移動端末に提供する。ＤＲＸ期間中にＵＥが実際にＤＲＸ（すなわちアクティブではない）のままであるかどうかは、ＵＥによって決定されてよい。例えば、ＵＥは、通常では異周波数測定を実行するが、この測定は、オン期間中には実行することができず、したがって、他の何らかの時間に（例えばＤＲＸオフ時間中に）実行される必要がある。
【００６２】
ＤＲＸサイクルのパラメータ化は、バッテリの節約と遅延との間のトレードオフを伴う。例えばウェブブラウジングサービスの場合、ダウンロードされたウェブページをユーザが読んでいる間、ＵＥがダウンリンクチャネルを継続的に受信することは、通常リソースの浪費である。長いＤＲＸ期間は、ＵＥのバッテリの寿命を延ばすうえで有利である。一方、短いＤＲＸ期間は、データ伝送が再開されるときに（例えばユーザが別のウェブページを要求するときに）より高速に応答するうえで有利である。
【００６３】
これらの相反する要件を満たすために、各ＵＥに対して２つのＤＲＸサイクル（短いサイクルおよび長いサイクル）を設定することができる。短ＤＲＸサイクルはオプションであり、すなわち、長ＤＲＸサイクルのみが使用されてもよい。短ＤＲＸサイクル、長ＤＲＸサイクル、および連続受信の間の遷移は、タイマー、または、ｅＮｏｄｅＢからの明示的なコマンド、のいずれかによって制御される。短ＤＲＸサイクルは、ある意味では、ＵＥが長ＤＲＸサイクルに入る前にパケットが遅れて到着する場合の確認期間とみなすことができる。ＵＥが短ＤＲＸサイクルにある間にｅＮｏｄｅＢにデータが到着する場合、そのデータは、次のオン期間において送信されるようにスケジューリングされ、その後、ユーザ機器は連続受信を再開する。一方、短ＤＲＸサイクル中にｅＮｏｄｅＢにデータが到着しない場合、ＵＥは、当面の間はパケットのアクティビティが終了したと想定して長ＤＲＸサイクルに入る。
【００６４】
ＵＥは、アクティブ時間中、ＰＤＣＣＨをモニタし、設定されているＳＲＳ（サウンディング参照信号）を報告し、ＰＵＣＣＨにおいてＣＱＩ（チャネル品質情報）／ＰＭＩ（プリコーディング行列指標）／ＲＩ（ランク指標）／ＰＴＩ（プリコーダタイプ指示情報）を報告する。ＵＥがアクティブ時間にないときには、タイプ０のトリガー型ＳＲＳとＰＵＣＣＨにおけるＣＱＩ／ＰＭＩ／ＲＩ／ＰＴＩとは、報告されなくてよい。ＵＥに対してＣＱＩマスキングが設定されている場合、ＰＵＣＣＨにおけるＣＱＩ／ＰＭＩ／ＲＩ／ＰＴＩの報告は、オン期間のサブフレームに限定される。
【００６５】
利用可能なＤＲＸ値は、ネットワークによって制御され、ＤＲＸなしからｘ秒までである。値ｘは、ＲＲＣ＿ＩＤＬＥにおいて使用されるページングＤＲＸと同じ長さとすることができる。測定要件および報告基準は、ＤＲＸ間隔の長さに応じて異なりうる。すなわち、長ＤＲＸ間隔は、より緩和された要件を有することができる（さらなる詳細については以下をさらに参照されたい）。ＤＲＸが設定されているとき、周期的なＣＱＩ報告は、「アクティブ時間」の間にのみＵＥによって送信されうる。周期的なＣＱＩ報告がオン期間の間にのみ送信されるように、ＲＲＣは、周期的なＣＱＩ報告をさらに制限することができる。
【００６６】
図６は、ＤＲＸ動作の例を開示している。ＵＥは、「オン期間」（これは長ＤＲＸサイクルおよび短ＤＲＸサイクルにおいて同じである）の間、スケジューリングメッセージ（ダウンリンク／アップリンク割当てと称されてもよく、ＰＤＣＣＨにおいて例えばＵＥのＣ−ＲＮＴＩ（セル無線ネットワーク一時識別子）によって示される）をチェックする。「オン期間」の間にスケジューリングメッセージが受信されたとき、ＵＥは、「インアクティビティタイマー」を開始し、インアクティビティタイマーが動作している間、各サブフレームにおいてＰＤＣＣＨのモニタを続ける。この期間中、ＵＥは、「連続受信モード」にあるとみなすことができる。インアクティビティタイマーが動作している間にスケジューリングメッセージが受信されると、ＵＥは、インアクティビティタイマーを再び開始し、インアクティビティタイマーが満了したとき、ＵＥは短ＤＲＸサイクルに移行し、「短ＤＲＸサイクルタイマー」を開始する（短ＤＲＸサイクルが設定されていると仮定する）。短ＤＲＸサイクルタイマーが満了したとき、ＵＥは長ＤＲＸサイクルに移行する。短ＤＲＸサイクルは、ＤＲＸ  ＭＡＣ制御要素によって開始されてもよい。ｅＮＢは、ＵＥをただちにＤＲＸサイクル（すなわち短ＤＲＸサイクル（そのように設定されている場合）または長ＤＲＸサイクル（短ＤＲＸサイクルが設定されていない場合））に移行させるために任意のタイミングでＤＲＸ  ＭＡＣ制御要素を送信することができる。
【００６７】
このＤＲＸ挙動に加えて、ＨＡＲＱラウンドトリップタイム（ＲＴＴ）中にＵＥがスリープをすることを可能にする目的で、「ＨＡＲＱ  ＲＴＴタイマー」が定義される。１つのＨＡＲＱプロセスについてのダウンリンクトランスポートブロックの復号が失敗すると、ＵＥは、そのトランスポートブロックの次の再送が、少なくとも「ＨＡＲＱ  ＲＴＴ」のサブフレームの後に行われることになると想定することができる。ＨＡＲＱ  ＲＴＴタイマーが動作している間、ＵＥはＰＤＣＣＨをモニタする必要がない。ＨＡＲＱ  ＲＴＴタイマーが満了すると、ＵＥは通常どおりにＰＤＣＣＨの受信を再開する。
【００６８】
上に挙げたＤＲＸに関連するタイマー（ＤＲＸインアクティビティタイマー、ＨＡＲＱ  ＲＴＴタイマー、ＤＲＸ再送タイマー、および短ＤＲＸサイクルタイマーなど）は、ＰＤＣＣＨグラントやＭＡＣ制御要素（ＤＲＸ  ＭＡＣ  ＣＥ）の受信などのイベントによって開始および停止される。したがって、ＵＥのＤＲＸステータス（アクティブ時間または非アクティブ時間）は、サブフレーム単位で変化する可能性があり、したがって、移動ノードによってつねには予測可能ではない。
【００６９】
現在のところ、キャリアアグリゲーションについては、共通のＤＲＸ動作が、ＵＥに対して設定されている有効なすべてのサービングセルに適用される。これは、ＵＥ固有ＤＲＸとも称される。アクティブ時間は、本質的にはすべてのセルに対して同じである。したがって、ＵＥは、同じサブフレームにおいて、すべてのダウンリンクセルのＰＤＣＣＨをモニタする。ＤＲＸに関連するタイマーおよびパラメータは、セルごとではなくＵＥごとに設定され、したがって、ユーザ機器あたり１つのみのＤＲＸサイクルが存在する。アグリゲートされたコンポーネントキャリアのすべてが、この「共通の」ＤＲＸパターンに従う。
【００７０】
［５Ｇ  ＮＲおよびアンライセンスセルについてのＤＲＸ］
ＬＴＥについて上述したＤＲＸの基本的なコンセプトは、新しい５Ｇ  ＮＲにも適用されるが、いくつか異なる点がある。標準化によってＤＲＸが進化し、例えば、非特許文献１１の第５．７節「Discontinuous Reception (DRX)」（参照により本明細書に組み込まれる）に定義されている。
【００７１】
非特許文献１１には以下が記載されている。
ＲＲＣは、以下のパラメータを設定することによってＤＲＸ動作を制御する。
−drx-onDurationTimer：
ＤＲＸサイクルの先頭における期間
−drx-SlotOffset：
drx-onDurationTimerを開始する前の遅延
−drx-StartOffset：
ＤＲＸサイクルが始まるサブフレーム
−drx-InactivityTimer：
ＰＤＣＣＨがＭＡＣエンティティに対して新しいＵＬ送信またはＤＬ送信を示すＰＤＣＣＨオケージョンの後の期間
−drx-RetransmissionTimerDL（ＤＬ  ＨＡＲＱプロセスごと）：
ＤＬ再送が受信されるまでの最大期間
−drx-RetransmissionTimerUL（ＵＬ  ＨＡＲＱプロセスごと）：
ＵＬ再送のグラントが受信されるまでの最大期間
−drx-LongCycle：
長ＤＲＸサイクル
−drx-ShortCycle（オプション）：
短ＤＲＸサイクル
−drx-ShortCycleTimer（オプション）：
ＵＥが短ＤＲＸサイクルに従う期間
−drx-HARQ-RTT-TimerDL（ＤＬ  ＨＡＲＱプロセスごと）：
ＨＡＲＱ再送のためのＤＬ割当てがＭＡＣエンティティによって予期される前の最小期間
−drx-HARQ-RTT-TimerUL（ＵＬ  ＨＡＲＱプロセスごと）：
ＨＡＲＱ再送のグラントがＭＡＣエンティティによって予期される前の最小期間
【００７２】
ＤＲＸサイクルが設定されているとき、アクティブ時間は以下の時間を含む。
−（第５．１．５節に記載されているように）drx-onDurationTimerまたはdrx-InactivityTimerまたはdrx-RetransmissionTimerDLまたはdrx-RetransmissionTimerULまたはra-ContentionResolutionTimerが動作している間の時間、または
−（第５．４．４節に記載されているように）スケジューリング要求がＰＵＣＣＨにおいて送信されて待ち状態にある間の時間、または
−（非特許文献１１の第５．１．４節に記載されているように）競合ベースのランダムアクセスプリアンブルの中でＭＡＣエンティティによって選択されないランダムアクセスプリアンブルに対するランダムアクセス応答が成功裏に受信された後、ＭＡＣエンティティのＣ−ＲＮＴＩにアドレッシングされた新しい送信を示すＰＤＣＣＨが受信されていない間の時間
【００７３】
上記から明らかであるように、５Ｇ  ＮＲについてのＤＲＸも、長ＤＲＸサイクルおよび短ＤＲＸサイクルに基づいており、短ＤＲＸサイクルタイマーに基づくこれらのサイクル間の遷移が、ＤＲＸサイクルの先頭におけるオン期間を規定し、ＤＲＸインアクティビティタイマーが、ＰＤＣＣＨを受信した後の連続受信の期間（その後ＵＥはスリープに入る）を決定する。したがって、５Ｇ  ＮＲのＤＲＸメカニズムは、概念的には図６に示されているように機能する。
【００７４】
共通のＤＲＸがＬＡＡに使用されること、すなわち、同じＤＲＸ設定がＰＣｅｌｌおよびＳＣｅｌｌに対して適用されることが、最近決定された。ＤＲＸは、アンライセンス無線セル（例えば、アンライセンスＳＣｅｌｌまたはスタンドアロンシナリオ）にも適用される。
【００７５】
しかしながら、アンライセンス無線セルにＤＲＸを使用することは、いくつかのさらなる課題を課す。例えば、ライセンスアクセスでは、ＤＲＸパラメータを適切に定義することによってＵＥ電力を節約することができるが、その代償として、ＤＲＸは、ＵＥへの到達性の遅延をもたらす。一方、アンライセンスアクセスでは、ＵＥがＰＤＣＣＨをモニタしている場合であっても、ｇＮＢがＵＥに到達できるかは不確実である。なぜならば、ＬＢＴ（またはＣＣＡの失敗）に起因して、ｇＮＢが、ダウンリンクチャネルを取得できないことがあるからである。したがって、スケジューリング遅延が増大し、より長い時間にわたりＵＥに到達することができない。例えば、ＵＥがＤＲＸスリープ状態にある間にデータがダウンリンクにおいて送信され、ｇＮＢが、オン期間中に、アンライセンス無線セルのダウンリンクチャネルを取得できない（すなわちＣＣＡに失敗する）場合には、少なくとも別のＤＲＸサイクルにわたりＵＥに到達することができず、その後に、ｇＮＢは、ＰＤＣＣＨにおいてダウンリンク制御情報をＵＥに送信するためにダウンリンクチャネルを占有することを再び試みうる。
【００７６】
オン期間を長くすることは、ｇＮＢがＵＥをスケジューリングする際の柔軟性を高めるが、ＵＥの電力節約を大幅に低減させることがあり、したがって、全体としてＤＲＸ手順の恩恵を制限してしまうことがある。
【００７７】
この問題が、図７に例示的に示されている。図７の上半分は、ｇＮＢが、ダウンリンクデータ送信についてＰＤＣＣＨにおいてダウンリンク制御情報をＵＥに送信するために、ダウンリンクチャネルを取得できるまでＣＣＡを繰り返し実行することによってＬＢＴを実行することを示している。図７の下半分には、長ＤＲＸサイクルに従ったオン期間および後続するオフ期間に基づくＵＥのＤＲＸ動作が示されており、オン期間中、ＵＥはＰＤＣＣＨをモニタする必要があり、オフ期間中、電力を節約するためにＵＥはＰＤＣＣＨをモニタする必要がない。
【００７８】
図示されているように、ｇＮＢがダウンリンクチャネルを占有できる時点において、ＵＥは、ＤＲＸスリープ期間（「オフ期間」）にすでに遷移しており、したがって、今後送信されてくる制御情報を対象としてダウンリンクチャネルをモニタすることはない。したがって、ｇＮＢがＰＤＣＣＨをＵＥに送信したとしても、ＰＤＣＣＨはＵＥによって受信されない。ｇＮＢは、ＵＥを再びスケジューリングできるように、少なくとも次のオン期間を待たなければならない。しかしながら、１つの規制要件は、ｇＮＢがダウンリンクチャネルを無期限に占有できず、限られた時間長（いわゆるチャネル占有時間（ＣＯＴ））しか占有できないことでありうる。結果として、ｇＮＢは、ＵＥの次のオン期間においても、ダウンリンクチャネルを占有できないことがある、かつ／または、オン期間が終わる前にダウンリンクチャネルを再取得できないことがある。理解できるように、ＵＥのＤＲＸサイクルとｇＮＢのＬＢＴ送信とが合わないことによって、著しい遅延が発生することがある。
【００７９】
したがって、上で明らかにされた問題が生じないまたは最小化される、不連続受信のためのメカニズムを定義することを容易にする、より効率的な手順を定義する必要がある。
【００８０】
［本開示の詳細な説明］
以下において、上記のニーズを満たすＵＥ、基地局、および手順が、５Ｇ移動通信システムについて想定されている新しい無線アクセス技術について説明される。さまざまな実装形態およびバリエーションも説明される。以下の詳細な開示は、前のセクション「本開示の基礎」の中で記載された説明および知見によって促進されたものであり、例えば少なくともその一部に基づきうる。
【００８１】
しかしながら、概して、本開示の基礎をなす原理を明確かつわかりやすく説明することができるように、以下において多くの仮定がなされる必要があることに留意されたい。しかしながら、これらの仮定は、本開示の範囲を限定することのない単なる例として理解されたい。当業者には、特許請求の範囲に記載されているような以下の開示の原理が、本明細書において明示的に説明されていないさまざまなシナリオに、本明細書に明示的に説明されていない形で適用されてもよいことが認識されるであろう。
【００８２】
さらに、次の３ＧＰＰ  ５Ｇ通信システムのための新しい無線アクセス技術に関連して使用される特定の用語が、まだ完全に決定されていないとしても、以下で使用されている、手順、エンティティ、レイヤなどの用語の一部は、ＬＴＥ／ＬＴＥ−Ａシステムに、または３ＧＰＰ  ５Ｇの現在の標準化で使用されている用語に、密接に関係している。したがって、用語は、３ＧＰＰの標準化段階において変更される可能性があるが、本発明の実施形態の機能には影響しない。したがって、本発明およびその保護範囲は、より新しい用語または最終的に合意される用語が存在しないという理由で本明細書において例示的に使用されている特定の用語に限定されるべきではなく、本開示の機能および原理の基礎をなす機能およびコンセプトに関して広義に理解されるべきであることが、当業者には認識されるであろう。
【００８３】
例えば、「移動局（mobile station）」、「移動ノード（mobile node）」、「ユーザ端末（user terminal）」、または「ユーザ機器（ＵＥ）」は、通信ネットワーク内の物理エンティティ（物理ノード）である。１つのノードは、いくつかの機能エンティティを有することができる。機能エンティティは、所定の機能のセットを実施する、かつ／または、所定の機能のセットを同じノードもしくは別のノードまたはネットワークの別の機能エンティティに提供する、ソフトウェアモジュールまたはハードウェアモジュールを意味する。ノードは、ノードが通信できる通信機器または通信媒体に当該ノードを接続する１つ以上のインタフェースを有することができる。同様に、ネットワークエンティティは、他の機能エンティティまたは通信相手ノードと通信することができる通信機器または通信媒体に機能エンティティを接続する論理インタフェースを有することができる。
【００８４】
用語「基地局」または「無線基地局」は、本明細書においては、通信ネットワーク内の物理エンティティを意味する。基地局は、移動局と同様に、いくつかの機能エンティティを有することができる。機能エンティティは、所定の機能のセットを実施する、かつ／または、所定の機能のセットを同じノードもしくは別のノードまたはネットワークの別の機能エンティティに提供する、ソフトウェアモジュールまたはハードウェアモジュールを意味する。物理エンティティは、通信装置に対していくつかの制御タスク（スケジューリングおよび設定のうちの１つ以上を含む）を実行する。基地局の機能および通信装置の機能は、１つの装置内に統合されてもよいことに留意されたい。例えば、移動端末が、他の端末に対して基地局の機能を実施してもよい。ＬＴＥにおいて使用されている用語はｅＮＢ（またはｅＮｏｄｅＢ）であるが、５Ｇ  ＮＲにおいて現時点で使用されている専門用語はｇＮＢである。
【００８５】
特許請求の範囲および本説明の中で使用されている「．．．信号を対象としてダウンリンクチャネルをモニタする」という表現は、信号が送信される正確なタイミングをＵＥが特に認識しておらず、場合によっては信号が送信されるリソースの範囲しかＵＥが認識していないが、ダウンリンクチャネルにおいて送信された特定の信号を受信することをＵＥが試みることを意味すると、広義に解釈されるべきである。特定の例示的なＬＴＥおよび５Ｇ−ＮＲの実装形態において、この表現は、「ＵＥに知られている指定された時間−周波数リソースに配置されている１つ以上のサーチスペースの１つ以上のＰＤＣＣＨ候補をモニタする」として、理解することができる。
【００８６】
「アンライセンス無線セルのダウンリンクチャネルを占有する」という表現および他の類似する表現は、アンライセンスアクセスの文脈においては、例えばＬＴＥおよび５Ｇ−ＮＲにおいて定義されるものとして広義に解釈されるべきである。この特定の例示的なＬＴＥおよび５Ｇ−ＮＲの文脈においては、いかなる送信機によるチャネルへのアクセスも、空きチャネル判定（ＣＣＡ）に依存する。ＣＣＡに成功した場合、送信機（例えばｇＮＢ）は、そのアンライセンスダウンリンクチャネルにおいて送信することができ、したがって、存在しうる他の送信機がＣＣＡの成功を達成しないように、そのチャネルを占有する（例えば、ブロックする）。
【００８７】
図８は、ユーザ機器（通信装置とも称される）およびスケジューリング装置（基地局内、例えばｅＬＴＥ  ｅＮＢ（またはｎｇ−ｅＮＢとも称される）内または５Ｇ  ＮＲにおけるｇＮＢ内に位置すると仮定する）の一般的な簡略された例示的なブロック図を示している。ＵＥおよびｅＮＢ／ｇＮＢは、それぞれの送受信機を使用して、（無線）物理チャネルを介して互いと通信する。
【００８８】
通信装置は、送受信機および処理回路を備えることができる。送受信機は、受信機および送信機を備えることができる、かつ／または、受信機および送信機として機能することができる。処理回路は、１つ以上のプロセッサまたは任意のＬＳＩなど、１つ以上のハードウェアとすることができる。送受信機と処理回路との間には入力／出力点（または入力／出力ノード）が存在しており、処理回路は、動作中、この入力／出力点を通じて送受信機を制御し、すなわち、受信機および／または送信機を制御し、受信／送信データを交換することができる。送受信機は、送信機および受信機として、１つ以上のアンテナ、増幅器、ＲＦ変調器／復調器などを含むＲＦ（無線周波数）フロントエンドを含むことができる。処理回路は、処理回路が提供するユーザデータおよび制御データを送信するように、かつ／または、処理回路がさらに処理するユーザデータおよび制御データを受信するように、送受信機を制御することなどの制御タスクを実施することができる。処理回路はまた、判定、決定、計算、測定などの他のプロセスを実行することを担うことができる。送信機は、送信するプロセスおよび送信するプロセスに関連する他のプロセスを実行することを担うことができる。受信機は、受信するプロセスおよび受信するプロセスに関連する他のプロセス（チャネルをモニタすることなど）を実行することを担うことができる。
【００８９】
この場合、さまざまな実施形態およびそのバリエーションの以下の開示から明らかになるように、プロセッサは、したがって、チャネルが基地局によって占有されているか否かを判定するよう例示的に構成されてよい。別の例は、特定のプロセス（例えばモニタ）が実行されるさまざまな期間の使用を制御する処理回路について言及する。
【００９０】
一方、受信機は、特定のダウンリンク制御情報を対象としてダウンリンクチャネルをモニタすることができ、次いで、基地局からダウンリンク制御情報および他のダウンリンク送信をさらに受信するよう構成されてよい。
【００９１】
以下において提供される解決策は、主として新しい５Ｇ  ＮＲの標準化に適用されるが、以前のＬＴＥリリースのＬＡＡまたはｅＬＡＡなど、別のシナリオに適用されてもよい。
【００９２】
［実施形態］
上述したように、例えばスタンドアロンシナリオにおける、アンライセンス無線セルの動作は、ｇＮＢによるダウンリンク送信をどのようにＵＥに通知できるかとともに、バッテリを節約するために、不必要な処理をオフにする十分な機会をＵＥに提供することに関する課題を伴う。現在のところＬＴＥおよび５Ｇ  ＮＲ（ライセンスアクセス）について規定されているＤＲＸ動作は、アンライセンス無線セルを介して通信するための特別な要件を考慮しておらず、したがって、この点において最適ではない。
【００９３】
説明を目的として、ＵＥとｇＮＢとの間の通信が、少なくともアンライセンス無線セルを介して（すなわちアンライセンス周波数帯域を使用して）可能であると仮定する。１つの例示的なシナリオは、５Ｇ  ＮＲについて想定されているスタンドアロンシナリオであり、以下において、このシナリオを使用して、複数の異なる解決策の基礎をなす原理について説明する。しかしながら、例えばライセンスＰＣｅｌｌおよびアンライセンスＳＣｅｌｌを伴うシナリオなど、他のシナリオも可能である。加えて、スタンドアロンシナリオが、現在５Ｇ−ＮＲについて予測されており、以前のＬＴＥリリースについては予測されていないが、この状況は今後変化する可能性があり、したがって、ＬＴＥも、ライセンス無線セルによって補助されることがない、アンライセンス無線セルのスタンドアロン使用をサポートする可能性がある。したがって、以下において説明される実施形態は、以前のＬＴＥリリースにおける（ライセンスセルによって補助される、または、スタンドアロン形式の）アンライセンスアクセスにも適用可能である。
【００９４】
さまざまな実施形態は、これらの問題に対処し、以下において説明されるように、ｇＮＢにおける動作とＵＥにおける動作とを同期することを容易にすることによる解決策を提供する。以下において説明されるメカニズムでは、ＵＥがアンライセンス無線セルのダウンリンクチャネルをモニタする必要がなく、したがって、電力を節約することができる機会をＵＥに提供することを考慮して、アンライセンスセルのための改良されたＤＲＸと称することができる。改良されたＤＲＸは、２ステップ手法に基づいており、ＵＥが、複数の異なる信号を対象としてダウンリンク制御チャネルをモニタする２つのモニタ期間と、電力を節約するためにＵＥがダウンリンクチャネルをモニタする必要がないオフ期間と、を定義することによる。ＵＥは、第１の信号をモニタし、第１の信号が受信された場合、連続して、第２の信号をモニタする。ＵＥは、第１の信号を受信しなかったとき、または、第１の信号を受信したが第２の信号を受信しなかった後に、オフ期間に入ることができる。このことが、以下おいてより詳細に説明される。
【００９５】
特に、例えばＵＥおよび／または他のＵＥへのダウンリンク送信を実行するためにｇＮＢがアンライセンス（ダウンリンク）チャネルを占有することができたことを示す特定の信号が導入される。以下において、この信号は、チャネル占有信号と例示的に称される。前述したように、アンライセンス無線セルへのアクセスは、リッスンビフォアトーク手順を成功裏に実行した（例えば空きチャネル判定に基づいてチャネルが空いていると判定した）後にのみ可能である。したがって、ｇＮＢは、ＵＥ宛のデータがダウンリンクにおいて利用可能である場合、ダウンリンクチャネルにおいてデータをＵＥに送信する前に、最初にＣＣＡを成功裏に実行しなければならない。
【００９６】
ｇＮＢは、チャネル占有信号を送信することによって、ＣＣＡに成功したことを１つ以上のＵＥに通知することができる。チャネル占有信号は、２ステップＤＲＸメカニズムにおける第１のモニタ期間中に使用される。特に、ＵＥは、ウェイクアップして、第１のモニタ期間にわたり、チャネル占有信号を対象としてダウンリンクチャネルをモニタする。
【００９７】
ＵＥは、この第１のモニタ期間中にチャネル占有信号を受信すると、ＵＥは、そのことから、ｇＮＢがアンライセンスチャネルを取得しており、理論的にはＵＥにデータを送信できると推測することができる。一方、ＵＥがダウンリンクチャネルをモニタしたがチャネル占有信号を受信しなかったときには、ＵＥは、そのことから、ｇＮＢがアンライセンスチャネルを取得しておらず、したがって、ＵＥにデータを送信できないと推測することができる。この場合、ＵＥは、この機会を利用して電力を節約し、第１のモニタ期間に従ってチャネル占有信号を対象としてダウンリンクチャネルをモニタすることを再び開始するまで、いくらかの時間にわたりダウンリンクチャネルをモニタしない。
【００９８】
ＵＥが、チャネル占有信号を受信し、ｇＮＢがアンライセンスチャネルを取得していると判定した場合、ＵＥは、ダウンリンク送信がまもなく実行されること、および／または、ダウンリンクにおける送信にｇＮＢによって使用される対応する無線リソース、をＵＥに示すためにｇＮＢによって送信されるであろうダウンリンク割当てを対象として、ダウンリンクチャネルをモニタする。いま説明されたダウンリンク割当ては、例えばＬＴＥおよび５Ｇ＿ＮＲにおいて知られている通常のダウンリンク割当て（例えばフォーマット１のＤＣＩ）に類似するまたは同じものとすることができる。ダウンリンク割当てを対象としたダウンリンクチャネルのモニタは、特定の時間（第２のモニタ期間と例示的に称される）に制限される。
【００９９】
ＵＥは、第２のモニタ期間が終わる前にダウンリンク割当てを受信すると、次に、対応するダウンリンク送信を受信する。一方、第２のモニタ期間が終わる前にダウンリンク割当てが受信されない（例えば、ｇＮＢが１つ以上の他のＵＥへのダウンリンク送信を実行する）ときには、例えばＵＥがダウンリンクチャネルをモニタする次の第１のモニタ期間が始まるまで、ＵＥはスリープ状態に入る。
【０１００】
ＵＥは、上述した異なるモニタ期間およびオフ期間を繰り返す。
【０１０１】
図９は、上述した原理に従った、ＵＥとｇＮＢとの間の１つの例示的な交換を示している。さらに、図１０は、上述した原理の例示的な一実装形態に従って、ＵＥの状態がどのように変化するかを示している。図示および説明を目的として、チャネル占有信号を対象として、アンライセンス無線セルのダウンリンクチャネルをモニタするための第１のモニタ期間は、時間Ａと称され、ダウンリンク割当てを対象として、アンライセンス無線セルのダウンリンクチャネルをモニタするための第２のモニタ期間は、時間Ｂと称される。
【０１０２】
図９は、どのように、ｇＮＢがＣＣＡを成功裏に完了するまでＬＢＴを実行し、次いで、チャネル占有信号を送信するかを示している。ＵＥは、時間Ａの期間に従ってウェイクアップし、次いで、ｇＮＢからアンライセンス無線セルにおいてチャネル占有信号が送信されたか否かについてダウンリンクチャネルをモニタする。ＵＥが時間Ａの中でチャネル占有信号を受信したと仮定する。チャネル占有信号の受信によってトリガーされる後続の時間Ｂのモニタ中、ＵＥは、今度は、ｇＮＢからのダウンリンク割当てを対象としてダウンリンクチャネルをモニタし、時間Ｂが終わる前に適時に実際にダウンリンク割当てを受信することができる。その結果、ＵＥはスリープ状態に入らず、引き続き、前に受信したダウンリンク割当てに対応するダウンリンク送信を受信する。
【０１０３】
（例えば非アクティブの）時間がいくらか経過した後、ＵＥは、スリープ状態に入ることができ、次いでさらなるサイクルに従って再びウェイクアップして、時間Ａ中、チャネル占有信号を対象としてダウンリンクチャネルをモニタすることができる。図示されているように、今回はｇＮＢがダウンリンクチャネルを取得していない（すなわちＬＢＴに成功しなかった）と仮定し、したがって、時間Ａの期間は、ＵＥがチャネル占有信号を受信することなく終わる。したがって、ＵＥはスリープ状態に入り、いくらかの時間にわたりダウンリンクチャネルをモニタすることを続けない。
【０１０４】
上述した例示的な解決策において、ＵＥは、基本的に、改良された本ＤＲＸメカニズムに関連する４つの異なる状態（図１０に、時間Ａ、時間Ｂ、スリープ期間、および連続受信として示されている）を繰り返す。時間Ａは、ｇＮＢによってアンライセンスチャネルが占有されているかどうかを判定するためにＵＥがダウンリンクチャネルをモニタすることになっている状態である。時間Ｂは、ダウンリンク送信がまもなくＵＥに送信されるかどうかを判定するためにＵＥがダウンリンク割当てを対象としてダウンリンクチャネルをモニタすることになっている状態である。スリープ期間状態は、時間Ａおよび時間Ｂとは異なりダウンリンクチャネルをモニタしなくてよいことにより電力を節約する機会をＵＥに与える。連続受信状態は、チャネル占有信号を受信した後、さらにダウンリンク割当てを受信した後に、ＵＥが１つ以上のダウンリンク送信（および場合によってはさらなるダウンリンク割当てなど）を受信できる状態である。
【０１０５】
図１０は、状態遷移も示しており、上で与えられた説明に合致する。詳細には、ＵＥは、（後でより詳細に説明されるように、例えば長ＤＲＸサイクルおよび／または短ＤＲＸサイクルに従って、または、ＳＭＴＣ測定ウインドウに従って）時間Ａの期間が始まるときに、例えば周期的に、時間Ａの状態に入る。時間Ａの期間が終わると（すなわちチャネル占有信号を受信しないと）、ＵＥは、スリープ期間状態に戻る。一方、ＵＥは、チャネル占有信号を受信すると、時間Ａの状態から時間Ｂの状態に遷移する。時間Ｂの状態からは、時間Ｂが終わった後（すなわちダウンリンク割当てを受信しなかった後）、ＵＥは、スリープ期間状態に入ることができる。一方、ＵＥは、ダウンリンク割当てを受信すると、時間Ｂから連続受信状態に遷移する。さらなるタイマー満了（例えば、ダウンリンク割当てを受信した後の非アクティブの期間）は、電力を節約するためにＵＥが再びスリープ状態に入るようにトリガーすることができる。
【０１０６】
図１１は、上記の原理の例示的な一実装形態に係るＵＥの挙動のフロー図を示している。この図に示されているように、ＵＥは、スリープ期間にあり、時間Ａの期間が始まると、ウェイクアップして、チャネル占有信号を対象としてダウンリンクチャネルをモニタする。ＵＥがチャネル占有信号を受信することなく、対応する時間Ａのモニタ期間が終わると、ＵＥは、次の時間Ａの期間が始まるまでスリープ期間に遷移する。
【０１０７】
チャネル占有信号が受信されると、ＵＥは、時間Ａを停止させ、一方で時間Ｂのモニタ期間を開始させ、時間Ｂのモニタ期間中、ｇＮＢからのダウンリンク割当てを対象としてダウンリンクチャネルをモニタする。ＵＥがｇＮＢからのダウンリンク割当てを受信することなく、対応する時間Ｂのモニタ期間が終わると、ＵＥは、次の時間Ａの期間が始まるまで再びスリープ期間に入ることができる。ダウンリンク割当てが受信されたときには、ＵＥはアウェイク状態を維持し、次いで、受信したダウンリンク割当てに対応するダウンリンク送信を通常の方法で受信する。オプションとして、ＵＥは、インアクティビティタイマーを開始してもよい。インアクティビティタイマーが満了すると（かつ例えばさらなるダウンリンク割当てが受信されなかった場合）、ＵＥは再びスリープ状態に入ることができる。
【０１０８】
ｇＮＢの挙動の一部は、これまでの図（例えば図９）に関連する説明からすでに明らかである。ｇＮＢの挙動は、図１２にさらに示されており、以下において説明される。ｇＮＢは、アンライセンスキャリアへのアクセスを取得し、したがって、ＵＥへのダウンリンク送信を実行することができるように、ＬＢＴ手順を実行する。ＬＢＴ手順は、ｇＮＢがアンライセンスチャネルを占有できるかどうかを判定するための空きチャネル判定を含む。ｇＮＢが、アンライセンスチャネルを占有できるときには、ｇＮＢは、アンライセンス無線セルが現在ｇＮＢによって占有されていることを示すために、アンライセンス無線セルにおいてチャネル占有信号を送信することができる。ｇＮＢは、ＵＥ宛のダウンリンクデータが待ち状態にあることを考慮して、ダウンリンク送信が実行されることを示すためにダウンリンク割当てをユーザ機器に送信する。次いで、ｇＮＢは、前に送信したダウンリンク制御情報の中で示されている設定に従って、ダウンリンク送信をＵＥに送信する。
【０１０９】
ｇＮＢのさらなる例示的な実装形態において、ｇＮＢは、第１の期間中および第２の期間中にＵＥがいつダウンリンクチャネルをモニタするかを判定することもできる。言い換えれば、ｇＮＢは、ＵＥがいつダウンリンクチャネルをモニタしているかを認識している。この情報は、ｇＮＢが例えばチャネル占有信号および／またはダウンリンク割当てをＵＥに送信するかどうかを決定するために使用されてよい。例えば、ｇＮＢが、ＵＥがダウンリンクチャネルをまったくモニタしていない（例えば、ＵＥがオフ期間にある）と判定すると、チャネル占有信号および／またはダウンリンク割当てを送信しないように決定することができる。一方、ＵＥのモニタ状態にかかわらず、ｇＮＢは、無線セルにおいてチャネル占有信号を送信してもよい。なぜならば、チャネル占有信号は、多数のＵＥによって受信されることがあり、それらのＵＥにとって重要でありうるからである。
【０１１０】
図１３〜図１５は、ＬＴＥまたは５Ｇ−ＮＲにおける例示的な実装形態に係る改良されたＤＲＸメカニズムを示している。前述したように、ここまでに説明したＬＴＥおよび５Ｇ−ＮＲにおけるＤＲＸメカニズム（レガシーＤＲＸ）は、長ＤＲＸサイクルおよび短ＤＲＸサイクルを含む異なるＤＲＸサイクルに依拠しており、ＵＥがＤＣＩ（ダウンリンク割当て）を対象としてＰＤＣＣＨ（ダウンリンクチャネル）をモニタする必要があるオン期間は、これらのＤＲＸサイクルに従って始まる。本実施形態のさらなる実装形態において、レガシーＤＲＸにおいてすでに確立および定義されているパラメータが、アンライセンス無線セルにおけるＤＲＸ動作に再使用されてもよい。したがって、改良されたＤＲＸメカニズムは、ライセンスセルについて定義されているレガシーＬＴＥ／５Ｇ−ＮＲ設計と整合する。例えば、時間Ａのモニタ期間を、レガシーＤＲＸにおけるオン期間と同様に、長ＤＲＸサイクルと共に始まるように定義することができる。したがって、先頭に時間Ａの期間を含む長ＤＲＸサイクルが、ＵＥに対して定義される。長ＤＲＸサイクルが始まるときに時間Ａの期間が始まり、ＵＥは、チャネル占有信号を対象としてダウンリンクチャネルをモニタすることを開始する。次に、ＵＥは、前述したように、時間Ｂの期間に従った処理（チャネル占有信号が受信された場合）、またはオフ期間に従った処理（チャネル占有信号が受信されなかった場合）のいずれかに進む。次の時間Ａの期間は、長ＤＲＸサイクルに従って（例えば次の長ＤＲＸサイクルが始まるときに）始まる。
【０１１１】
図１３〜図１５は、それぞれ、チャネル占有信号が受信されない場合（図１３）、チャネル占有信号は受信されるがダウンリンク割当てが受信されない場合（図１４）、チャネル占有信号およびダウンリンク割当てが受信される場合（図１５）を示している。図１３〜図１５それぞれの下側には、改良されたＤＲＸメカニズムとレガシーＤＲＸ動作との比較を可能にするために、レガシーＤＲＸメカニズムが示されている。
【０１１２】
図示および説明を目的として、時間Ａの期間は、レガシーＤＲＸメカニズムにおけるオン期間より短く、時間Ｂの期間は、レガシーＤＲＸメカニズムにおけるオン期間と同じ長さを有すると、例示的に仮定する。しかしながら、後で詳細に説明されるように、時間Ａの期間および時間Ｂの期間は、オン期間と同じであってもよいし、オン期間より短くてもよいし、またはオン期間より長くてもよい。
【０１１３】
ｇＮＢの挙動は、ＬＢＴ手順の一部としてのＣＣＡと、一連のＣＣＡの後のバックオフ時間と、を含むように、図１３に示されている。チャネル占有信号は、アンライセンスチャネルを成功裏に取得するとｇＮＢによって送信される。ＵＥの時間Ａのモニタ期間がすでに終わっている後にようやくｇＮＢがアンライセンス周波数帯域を取得したと仮定する。すなわち、ＵＥは、そのときにはすでにオフ期間にあり、したがって、チャネル占有信号を受信するためにＰＤＣＣＨをモニタすることはない。ここで、それにもかかわらず、例えばｇＮＢがアンライセンスバンドを占有していることが認識されるように他のＵＥがチャネル占有信号を受信するために、チャネル占有信号がｇＮＢによって送信されたと仮定する。しかしながら、本ＵＥに対するＰＤＣＣＨは、ＵＥに送信さえされない。なぜならば、ｇＮＢは、本ＵＥがオフ期間にあることを認識しているからである。むしろ、他のＵＥ宛のデータが待ち状態にある場合、ｇＮＢは、他のＵＥへのダウンリンク送信を実行することに進むことができ、本ＵＥへのダウンリンクデータのスケジューリングを後で試みることができる。本ＵＥは、次の長ＤＲＸサイクルが始まるときに再び時間Ａの期間に入る。
【０１１４】
図１３において想定されている例示的なシナリオでは、レガシーＤＲＸメカニズムの動作は、基本的に同じ結果になる。なぜならば、ＰＤＣＣＨが、オン期間外で送信されることになるからである。しかしながら、オン期間より長さが短い時間Ａの期間を有することにより、ＵＥが、より早くアクティブ時間からオフ期間に遷移し、したがって、より多くの電力を節約することがさらに可能である。
【０１１５】
図１４の例示的なシナリオにおいては、ｇＮＢがより早い時刻に（すなわちＵＥの時間Ａのモニタ期間中に）ダウンリンクチャネルを取得できたと仮定する。ｇＮＢはチャネル占有信号を送信し、それに応じてＵＥはこの信号を受信する。上述したように、ＵＥは、チャネル占有信号を受信すると時間Ｂのモニタ期間に入り、ｇＮＢからのダウンリンク割当てを受信するためにモニタする。しかしながら、図１４では、例えば、ＵＥ宛の待ち状態のダウンリンクデータが存在しない理由で、または、時間Ｂの期間が終わる前にＵＥへのダウンリンク送信が可能ではない理由で、ｇＮＢは、ＵＥへのダウンリンク送信を実行せず、したがって、ダウンリンク割当て（ＰＤＣＣＨ）がＵＥに送信されないと想定する。代わりに、他の（１つ以上の）ＵＥへのダウンリンク割当てを実行することができる。時間Ｂの期間は、ダウンリンク割当てを受信することなく終わり、ＵＥは、電力を節約するためにオフ期間に遷移する。ＵＥは、次の長ＤＲＸサイクルが始まると再び時間Ａの期間に遷移する。
【０１１６】
図１５の例示的なシナリオにおいては、図１４と比較して、ｇＮＢが、時間内に（すなわち時間Ｂの期間が終わる前に）ＵＥへのダウンリンク送信を実行できると仮定する。したがって、ｇＮＢは、時間Ｂの期間中に、ダウンリンク送信のためのＰＤＣＣＨダウンリンク割当てを送信し、ＵＥは、このダウンリンク割当てを受信する。図１５の単純化された例示において、次いで、ＵＥおよびｇＮＢは、引き続き、ＰＤＣＣＨのダウンリンク割当てに基づいて、それぞれデータ受信およびデータ送信を行う。
【０１１７】
図１５の下側に示されているレガシーＤＲＸメカニズムの動作は、ＰＤＣＣＨダウンリンク割当て送信がオフ期間中に実行されるであろうことを示している。したがって、ＵＥへのダウンリンク送信は不可能であり、これは、データ送信のさらなる遅延をもたらす。時間Ａの期間を追加的に導入することによって、ＰＤＣＣＨをモニタする時間Ａの期間（レガシーＤＲＸにおけるオン期間に対応する）が時間的に後方にシフトされ、したがって、ネットワークには、アンライセンス無線セルにアクセスするためのより多くの時間と、ＵＥへの送信を実行するためのさらなる柔軟性と、が与えられる。一方で、ＵＥは、追加のモニタ時間Ａに起因して、電力を節約する機会が減少する。しかしながら、追加的に電力が使用されることとダウンリンク送信の柔軟性が向上して遅延が減少することとの間で、トレードオフが可能である。時間Ａの期間の対応する長さは、例えばネットワークによって適切に設定することができ、これに加えて、動的に設定することもできる。
【０１１８】
以下において、上述した解決策のさらに詳しい実装形態およびバリエーションが説明される。
【０１１９】
特に、改良された本ＤＲＸメカニズムの複数の異なる期間は、例えばｇＮＢによって設定することができる。概して、時間Ａの期間および時間Ｂの期間についての必要なパラメータの設定は、異なるシグナリングを使用することによって、すなわち、システム情報ブロードキャストの中で（例えば、特定のシステム情報ブロックの中で）、または、ＵＥに専用のＲＲＣシグナリング（例えば、ＲＲＣ再設定メッセージ）によって、または、ＵＥに専用のＰＤＣＣＨ  ＤＣＩ（例えば、ＤＣＩフォーマット２＿０もしくはＤＣＩフォーマット２＿１または別の新しいＤＣＩフォーマット）の中で、または、グループもしくはセル全体を対象とするＰＤＣＣＨ  ＤＣＩの中で、ＵＥに示すことができる。
【０１２０】
これらのパラメータは、時間Ａの期間および時間Ｂの期間の長さ、ならびに時間Ａの期間の周期的な開始位置を含むことができる。時間Ａの期間および時間Ｂの期間の長さは、例えば、レガシーＤＲＸ期間について定義されているオン期間の長さと同じにすることができる。一方、時間Ａの期間および時間Ｂの期間の長さは、レガシーＤＲＸ期間について定義されているオン期間の長さより短くてもよいし、または、長くてもよい。例えば、比較的短い時間Ａの長さ（例えば、オン期間より短い）は、（図１３に関連して上述したように）ｇＮＢがアンライセンス無線セルのダウンリンクチャネルを占有できない場合に、ＵＥが、より多くの電力を節約することを可能にする。一方、比較的長い時間Ａの長さ（例えば、オン時間より長い）は、ＵＥへのダウンリンク送信をスケジューリングするためのより多くの時間および柔軟性をｇＮＢに与える。時間Ｂの期間の長さの設定についても、同様の考察によって導くことができる。
【０１２１】
さらに、時間Ａの期間の開始は、上述したように長ＤＲＸサイクルに関連付けられてよい。すなわち、長ＤＲＸサイクルが始まるたびに時間Ａの期間が始まり、したがって、ＵＥは、チャネル占有信号を対象としてダウンリンクチャネルをモニタする必要がある。時間Ａは、長ＤＲＸサイクルが始まった直後に開始することができるが、長ＤＲＸサイクルが始まった後、ある時間オフセットをもって開始してもよい。
【０１２２】
時間Ｂの期間の開始は、チャネル占有信号の受信の成功に依存し、時間Ｂの期間は、例えばチャネル占有信号の受信直後に開始することができるが、チャネル占有信号の受信後、ある時間オフセットをもって開始してもよい。
【０１２３】
この実施形態のさらなるバリエーションは、改良されたＤＲＸメカニズムにおいて短ＤＲＸサイクルを考慮に入れる。短ＤＲＸサイクルは、前述したように、既知のＤＲＸメカニズムにおいてオプションとして設定することができ、ＵＥは、インアクティビティタイマーが満了した後に短ＤＲＸサイクルに遷移する（その後、短ＤＲＸサイクルタイマーが長ＤＲＸサイクルへの遷移を制御する）。したがって、短ＤＲＸサイクルがＵＥに対して設定される場合、短ＤＲＸサイクルも考慮した改良を使用することができる。前述した解決策の一部は、ＵＥがチャネル占有信号を対象としてダウンリンクチャネルをモニタする時間Ａの期間を周期的に開始させるために、長ＤＲＸサイクルに依拠する。したがって、ＵＥは、その長ＤＲＸサイクル内の少なくとも１つのさらなる時間の間、チャネル占有信号を対象としてダウンリンクチャネルをモニタする。この解決策は、図１６に示されており、図１６では、（図１３の基本となるシナリオに類似する）例示的なシナリオを想定し、ｇＮＢは、このシナリオに従うと、（長ＤＲＸサイクルと共に始まった）最初の時間Ａのモニタ期間中にアンライセンス無線セルのダウンリンクチャネルを取得することができない。
【０１２４】
ＵＥの挙動を最適化するために、ＵＥが、時間Ａの期間中、モニタしてチャネル占有信号を受信しなかった場合、ＵＥは、その長ＤＲＸサイクル内の短ＤＲＸサイクルに従って時間Ａの期間を再び開始できることを予測できる。図１６に示されている改良に従うと、ＵＥは、長ＤＲＸサイクル中、設定された短ＤＲＸサイクルに一時的に従って、さらなる時間Ａのモニタ期間をトリガーし、ＵＥは、このモニタ期間中、チャネル占有信号を対象としてダウンリンクチャネルを再びモニタする。したがって、ＵＥは、図示されているように、チャネル占有信号を検出することができ、ダウンリンク割当て（図１６におけるＰＤＣＣＨ）および後続するダウンリンクデータ（図１６における「データ受信」、「ＵＥ１へのデータ送信」）を受信するために、時間Ｂのモニタ期間に入ることができる。
【０１２５】
結果として、長ＤＲＸサイクル内の短ＤＲＸサイクルに従って時間Ａのモニタ期間を追加的に開始させることによって、ＵＥがｇＮＢからチャネル占有信号および場合によってはＵＥ宛の待ち状態のダウンリンクデータを受信するためのさらなる機会が存在する。したがって、チャネル占有信号の検出を迅速化することができる。
【０１２６】
さらなる例示的な実装形態に従うと、以下において説明されるように、（時間Ａの期間ではなく）時間Ｂの期間の開始は、短ＤＲＸサイクルに従って追加的にトリガーされる。したがって、ＵＥは、特に、長ＤＲＸサイクル内の少なくともさらなる時間Ｂの期間中、ダウンリンク割当てを対象としてダウンリンクチャネルをモニタする。この解決策は図１７に示されており、図１７では（図１４の基本となるシナリオにいくらか類似する）例示的なシナリオを想定し、ｇＮＢは、このシナリオに従うと、ダウンリンクチャネルを取得して時間Ａの期間中にチャネル占有信号をＵＥに送信することができるが、時間Ａの期間の直後の時間Ｂの期間中にＵＥへのダウンリンク送信を時間内に実行することができない。図１７の解決策は、その長ＤＲＸサイクル内の短ＤＲＸサイクルの次の開始の際に、さらなる時間Ｂの期間がトリガーされ、この期間中、ＵＥは、ダウンリンク割当てを対象としてダウンリンクチャネルをモニタする、という点で異なる。明らかなように、ｇＮＢは、この追加の時間Ｂ中にＰＤＣＣＨをＵＥに送信し、ＵＥはこのＰＤＣＣＨを受信し、次いで、このＰＤＣＣＨに基づいてダウンリンクデータを受信することができると想定される。前と同様に、次の時間Ａのモニタ期間は、次の長ＤＲＸサイクルと共に始まる。
【０１２７】
上述したチャネル占有信号をどのように実現するかに関して、いくつかの可能な方法が存在する。概念的には、アンライセンス無線セルのダウンリンクにおいてｇＮＢによって送信される任意の信号の存在を、チャネル占有信号としてすでに使用することができる。なぜならば、ｇＮＢは、ダウンリンクチャネルを取得する前にはダウンリンクにおいていかなる信号も送信しないからである。チャネル占有信号は、ダウンリンクチャネルを取得した後に１回送信される一度限りの信号とすることができるが、チャネル占有時間中に（すなわち、アンライセンスチャネルがダウンリンクにおいてｇＮＢによって占有されている間に）２回以上送信されてもよい。
【０１２８】
例えば、チャネル占有信号は、ｇＮＢによって、そのアンライセンス無線セルにおいてブロードキャストされる特定の参照信号として実現されてもよい。５Ｇ  ＮＲにはいくつかの参照信号がすでに定義されており、アップリンクについては非特許文献５の第６．４節に記載されており、ダウンリンクについては第７．４節に記載されている（それぞれ参照により本明細書に組み込まれる）。例えばダウンリンクにおいては、ＣＳＩ参照信号および位相トラッキング用参照信号に加えて、ＰＤＳＣＨおよびＰＤＣＣＨならびにＰＢＣＨの復調用参照信号が存在する。
【０１２９】
例示的な一実装形態において、アンライセンス無線セルのチャネルが占有されていることを示すために、新しい参照信号を定義することができる。ｇＮＢは、アンライセンスバンドで動作するすべてのＮＲ  ＵＥに対して、この参照信号の新しい系列を設定することができる。ＵＥは、系列相関を実行し、その系列を検出できなかった場合、ＮＲアンライセンスセルにおける送信が存在しないと想定することができる。一方、系列相関の結果が特定の閾値を上回る場合、ＵＥは、ｇＮＢがダウンリンクを占有していると想定する。
【０１３０】
別の例示的な実装形態において、チャネル占有信号は、５Ｇ−ＮＲにおいてすでに定義されておりｇＮＢによって送信される、例えばＰＤＣＣＨまたはＰＤＳＣＨの復調用参照信号（ＤＭＲＳ）である。ＤＭＲＳは、ｇＮＢがダウンリンクチャネルを取得した場合にのみ、アンライセンス無線セルにおいてｇＮＢによって送信されると想定される。結果として、ＵＥは、ＤＭＲＳを検出したとき、ｇＮＢが実際にダウンリンクチャネルを取得したと判定する。この点において、例えば、ｇＮＢは、アンライセンスバンドにおいて動作するすべてのＮＲ  ＵＥに対して、ＤＭＲＳの共通系列を設定する。ＵＥは、系列相関を実行し、その系列を検出できなかった後、ＵＥは、ＮＲアンライセンスセルにおける送信が存在しないと想定することができる。一方、系列相関の結果が特定の閾値を上回る場合、ＵＥは、ｇＮＢがダウンリンクチャネルを占有していると想定する。
【０１３１】
別のオプションは、例えば共通サーチスペース内でダウンリンク制御情報としてチャネル占有信号を送信することである。上述したように、ダウンリンクにおける制御情報の送信は、５Ｇ−ＮＲでは（およびＬＴＥでも同様に）、異なるフォーマットのＤＣＩに基づいて実施され、ＤＣＩを送信することができる無線リソースにおいて特定のサーチスペース内で送信される。概念的には、共通サーチスペースは、すべてのＵＥによって復号され、したがって、一般には、ｇＮＢによって到達可能なすべてのＵＥに情報を送信するために使用されるのに対し、ＵＥ固有サーチスペースは、１つのＵＥに固有であり、したがって、その１つのＵＥによってのみ復号され、それ以外のＵＥによって復号されない。
【０１３２】
すでに定義されているＤＣＩのうちの１つを、チャネル占有信号であるように定義することができる。例えば、ＤＣＩは、共通サーチスペース内で送信することができ、ＵＥの共通識別子でスクランブルすることができる（例えば、５Ｇ−ＮＲによってすでに定義されているように、ＳＦＩ−ＤＣＩ  ２＿０は、ＳＦＩ−ＲＮＴＩでスクランブルされ、ＤＣＩフォーマット２＿１は、ＩＮＴ−ＲＮＴＩでスクランブルされる）。結果として、ＵＥが、ＳＦＩ−ＤＣＩ  ２＿０および／またはＤＣＩフォーマット２＿１を検出したとき、ＵＥは、ｇＮＢが実際にダウンリンクチャネルを取得したと判定する。別のオプションは、ＳＩ−ＲＮＴＩでスクランブルされたシステム情報をチャネル占有信号として使用することである。
【０１３３】
追加的にまたは代替的に、上述したＤＣＩが、チャネルが実際に取得されているか否かを示すための少なくとも１つの追加ビットだけ拡張されてもよい。
【０１３４】
代替的に、新しいＤＣＩが、チャネル占有信号を実現する目的で定義されてもよく、場合によっては特別にこの目的のための新しいＲＮＴＩを使用する。新しいＤＣＩは、ダウンリンクチャネルがｇＮＢによって実際に取得されているか否かを示すための少なくとも１つのビットを含んでもよい。新しいＤＣＩは、非常に頻繁に送信されてもよい。
【０１３５】
上述したように、チャネル占有信号を実現するためのいくつかの異なる方法が存在する。
【０１３６】
さらに、チャネル占有信号は、チャネル占有時間中、１回のみ送信されてもよいし、または、複数回送信されてもよい。これは、上述したチャネル占有信号の実現方法に依存しうる。
【０１３７】
前述したように、時間Ｂの期間の長さは、例えばレガシーＤＲＸメカニズムのオン期間と同じとすることができる。これに対して、ｇＮＢのチャネル占有時間を考慮して、時間Ｂの期間の長さは制限されてもよい。チャネル占有時間は、具体的には、ｇＮＢがまずアンライセンス無線セルのダウンリンクチャネルを取得した後にそのダウンリンクチャネルを占有することが許可される最大時間である。結果として、ＵＥは、ｇＮＢのチャネル占有時間が終わった後は、ダウンリンク割当てを対象としてダウンリンクチャネルをモニタする必要がない。したがって、ｇＮＢのチャネル占有時間がいつ終わるかをＵＥが認識しているならば、ＵＥは、さらに電力を節約するために、時間Ｂの期間中にモニタプロセスを適切に停止することができる。
【０１３８】
ｇＮＢの最大チャネル占有時間がいつ終わるかをＵＥがどのように学習するかに関して、いくつかの可能な方法が存在する。例えば、チャネル占有時間に関する情報が、ＵＥに送信されてもよく、ＵＥは、この情報から、チャネル占有時間がいつ終わるかを推測することができる。例えば、チャネル占有信号は、ｇＮＢのチャネル占有の開始を示すものと理解することができ、チャネル占有の終了を、チャネル占有の開始から、最大チャネル占有時間の情報に基づいて決定することができる。
【０１３９】
チャネル占有時間に関する情報は、さまざまな形をとることができる。例えば、チャネル占有時間の終了は、ダウンリンクチャネルを占有することがもはやｇＮＢに許可されない対応するフレーム番号を指し示すことによって、示すことができる。代替的に、チャネル占有時間の最大長が示されてもよく、したがって、ＵＥは、チャネル占有時間の最大長とチャネル占有の開始時刻（例えば、チャネル占有信号が受信された時刻）とに基づいて、チャネル占有の終了を推測することができる。さらに別のオプションとして、チャネル占有の残りの時間が、例えばシンボル、スロット、サブフレーム、または無線フレームの単位で、示されてもよい。この場合、ＣＯＴが、チャネル占有時間中に繰り返し送信され、それに応じて残りのＣＯＴの値が更新される。
【０１４０】
ｇＮＢは、チャネル占有時間に関する情報を、例えばチャネル占有信号と一緒にＵＥに送信することができる。チャネル占有時間に関するこの情報をどのように組み込むかは、チャネル占有信号の実現方法に依存しうる。例えば、共通サーチスペース内で送信されるＳＦＩ−ＤＣＩを使用するときには、チャネル占有時間に関する情報を運ぶことができるように、ＤＣＩの対応するフォーマットが、さらなる１ビットまたは複数ビットだけ拡張されなければならない、または、新しいＲＮＴＩでスクランブルされうる新しいＤＣＩフォーマットが導入されなければならない。
【０１４１】
チャネル占有信号を実現するために新しいＤＣＩを使用するときには、新しいＤＣＩは、ｇＮＢのチャネル占有時間がいつ終わるかをＵＥが判定することを可能にする情報をさらに含むように、拡張されてもよい。この情報は、ＤＣＩが頻繁に送信されるときに特に有用であり、したがって、新しいＤＣＩにおいて運ばれるチャネル占有時間の残りの長さが、新しいＤＣＩ（チャネル占有信号）が送信されるたびに更新される。
【０１４２】
追加的にまたは代替的に、チャネル占有時間に関する情報は、チャネル占有信号とは別個に（例えば共通ＤＣＩまたはＵＥ固有ＤＣＩの一方に含めて）送信されてもよい。
【０１４３】
時間Ｂの期間内の、ＵＥがダウンリンク割当てを対象としてダウンリンクチャネルをモニタする必要がない期間に関する追加の情報をＵＥに提供することによって、さらなる改良を達成することができる。これによって、ＵＥは、さらに多くの電力を節約することが可能になる。特に、この追加の情報は、例えばチャネル占有信号と一緒にｇＮＢによってＵＥに送信されてもよい。例示的な一実装形態において、この追加の情報は、ｇＮＢからのダウンリンク通信が行われず、したがって、ＵＥによってモニタされる必要がない特定のアップリンク期間（例えば、アップリンクスロットまたはアップリンクＯＦＤＭシンボル）を示す。したがって、この追加の情報は、ＳＦＩ−ＰＤＣＣＨと類似するまたは同じ情報を提供するが、この追加の情報は、チャネル占有信号と一緒に、より頻繁に送信されてもよい。
【０１４４】
上に提示された１つの例示的な解決策によれば、時間Ａの期間（したがって、さらに時間Ｂの期間）のトリガーは、長ＤＲＸサイクル／短ＤＲＸサイクルに関連付けられている。代替の例示的な実装形態として、改良された本メカニズムは、１つ以上のＤＲＸサイクルの代わりに、同期信号をＵＥに提供するコンテキストにおいて５Ｇ  ＮＲに定義されているＳＳＢ測定タイミング設定（ＳＭＴＣ）に従った周期に従う。前述したように、ＳＳＢ−ＭＴＣ設定は、同期信号／ＰＢＣＨブロックを受信するためのＳＭＴＣ１測定ウインドウの周期および期間の定義を含む。なお、ＳＭＴＣ１測定ウインドウは、一般に、ＤＲＸサイクル（特に長ＤＲＸサイクル）より頻繁に発生することに留意されたい。時間Ａの期間および時間Ｂの期間は、現在のセルにおけるこのＳＭＴＣ１測定ウインドウと同期されてもよい。
【０１４５】
特に、ＵＥは、ＳＭＴＣ１測定ウインドウ（ＳＭＴＣモニタ期間とも称される）の開始時に時間Ａのモニタ期間をトリガーし、時間Ａの間、チャネル占有信号を受信するためにダウンリンクチャネルをモニタする。さらなる動作は、他の解決策に関連して前述した動作と基本的に同じであってよく、例えば、ＵＥが時間Ａ内でｇＮＢからのチャネル占有信号を検出して受信できたときに、時間Ｂのモニタ期間がトリガーされる。したがって、ＵＥは、後続の時間Ｂの期間中、ダウンリンク割当てを対象としてダウンリンクチャネルをモニタする。次の時間Ａの期間は、次のＳＭＴＣ測定ウインドウの開始によってトリガーされる。
【０１４６】
本解決策のＤＲＸベースの実装形態に関連して説明した他の態様は、本解決策のＳＭＴＣベースの実装形態に等しく適用可能である。例えば、時間Ａの期間の長さは同じままとすることができるが、時間Ａの期間の長さをＤＲＸベースの解決策より長くすることも可能である。一方、ＳＭＴＣベースの解決策は、時間Ａの期間をより頻繁にトリガーすることを考慮して、時間Ａの期間の長さをＤＲＸベースの解決策より短くすることもできる。
【０１４７】
別の例として、ｇＮＢがダウンリンクチャネルをもはや占有していない後にＵＥが依然としてダウンリンクチャネルをモニタすることを回避するために、時間Ｂの期間の長さを、例えばｇＮＢのチャネル占有時間に制限することができる。したがって、ｇＮＢのチャネル占有時間に関する情報が、上述した方法のうちの１つでＵＥに提供されうる。
【０１４８】
図１８は、図１５の基本のシナリオに類似する特定の例示的なシナリオを想定している、ＳＭＴＣベースの解決策の例示的な一実装形態を示している。この図から明らかであるように、時間Ａの期間は、ＵＥのＳＭＴＣ測定ウインドウと一緒に始まる。時間Ｂの期間は、チャネル占有時間（ＣＯＴ）の長さを有すると例示的に想定する。図示されていないが、ＵＥは、例えば時間Ａの間にチャネル占有信号が受信されない場合、または、時間Ｂの間にダウンリンク割当てが受信されない場合、前にすでに説明したのと同様に（例えば図１０および図１１に関連する前の説明を参照されたい）、この機会を利用してスリープ状態に入ることができる。ＵＥは、時間Ｂの後にスリープ状態に入る。結果として、ＵＥは、時間Ｂより長くアウェイク状態のままであることはない。前のＤＲＸベースの解決策との違いとして、ＤＲＸインアクティビティタイマーが使用されないが、オプションとして、時間Ｂは、ｇＮＢによるチャネル占有と同期するように、チャネル占有時間（ＣＯＴ）に設定される。
【０１４９】
［さらなる態様］
第１の態様によれば、ユーザ機器であって、動作中、第１の期間中、移動通信システムのアンライセンス無線セルを介して前記ユーザ機器と通信する基地局によって送信されたチャネル占有信号を対象として、前記アンライセンス無線セルのダウンリンクチャネルをモニタする受信機を備えているユーザ機器が提供される。前記チャネル占有信号は、前記基地局がダウンリンク送信を実行するために前記ダウンリンクチャネルを占有していることを示す。前記受信機は、動作中、前記第１の期間中に、前記基地局から前記チャネル占有信号を受信する。前記受信機のプロセッサは、動作中、受信された前記チャネル占有信号に基づいて、前記基地局が前記ダウンリンクチャネルを占有していると判定する。前記基地局が前記ダウンリンクチャネルを占有していると判定した後、前記受信機は、動作中、第２の期間中、前記ユーザ機器によって受信されるダウンリンク送信に関するダウンリンク制御情報を対象として、前記ダウンリンクチャネルをモニタする。前記受信機は、動作中、前記第２の期間中に、前記ダウンリンク制御情報を受信し、次いで、受信された前記ダウンリンク制御情報に基づいて、前記基地局から前記ダウンリンク送信を受信する。
【０１５０】
第１の態様に加えて提供される第２の態様によれば、前記第１の期間中に前記チャネル占有信号が受信されない場合、前記ユーザ機器は、前記第１の期間が終わると始まるスリープ期間中、前記チャネル占有信号および前記ダウンリンク制御情報を対象として、前記ダウンリンクチャネルをモニタする必要がない。オプションとして、前記第２の期間中に前記ダウンリンク制御情報が受信されない場合、前記ユーザ機器は、前記第２の期間が終わると始まるスリープ期間中、前記チャネル占有信号および前記ダウンリンク制御情報を対象として、前記ダウンリンクチャネルをモニタする必要がない。
【０１５１】
第１の態様または第２の態様に加えて提供される第３の態様によれば、前記チャネル占有信号は、
前記アンライセンス無線セルにおいて前記基地局によってブロードキャストされる参照信号と、
前記ダウンリンクチャネルの共通サーチスペース内で送信されるダウンリンク制御情報と、
のうちの少なくとも一方である。
オプションとして、前記参照信号は復調用参照信号である。オプションとして、前記ダウンリンク制御情報は、５Ｇ−ＮＲ通信システムのスロットフォーマットインジケータ無線ネットワーク一時識別子（ＳＦＩ−ＲＮＴＩ）または中断送信インジケータＲＮＴＩ（ＩＮＴ−ＲＮＴＩ）またはシステム情報ＲＮＴＩ（ＳＩ−ＲＮＴＩ）などの共通ＵＥ識別情報でスクランブルされている。
【０１５２】
第１の態様から第３の態様のうちのいずれかに加えて提供される第４の態様によれば、前記第１の期間は、長不連続受信（ＤＲＸ）サイクルが始まるたびに始まり、前記長ＤＲＸサイクルは、前記ユーザ機器において動作するＤＲＸ機能の一部である。オプションとして、前記長ＤＲＸサイクルが始まるときに始まる前記第１の期間中に前記チャネル占有信号が受信されない場合、前記受信機は、動作中、残りの前記長ＤＲＸサイクル内で次の１つ以上の短ＤＲＸサイクルが始まるときに追加的に始まる別の第１の期間中、前記チャネル占有信号を対象として、前記ダウンリンクチャネルをモニタする。オプションとして、前記第１の期間中に前記チャネル占有信号が受信され、前記第２の期間中に前記ダウンリンク制御情報が受信されない場合、前記受信機は、動作中、残りの前記長ＤＲＸサイクル内で次の１つ以上の短ＤＲＸサイクルが始まるときに追加的に始まる別の第２の期間中、前記ダウンリンク制御情報を対象として、前記ダウンリンクチャネルをモニタする。
【０１５３】
第１の態様から第４の態様のうちのいずれかに加えて提供される第５の態様によれば、前記第２の期間中に前記ダウンリンク制御情報が受信されない場合、前記受信機は、動作中、次の長ＤＲＸサイクルが始まるときに始まる別の第１の期間中、前記チャネル占有信号を対象として、前記ダウンリンクチャネルをモニタする。さらに、前記第２の期間中に前記ダウンリンク制御情報が受信された場合、前記受信機は、動作中、残りの前記長ＤＲＸサイクル内で次の１つ以上の短ＤＲＸサイクルが始まるときに追加的に始まる別の第１の期間中、前記チャネル占有信号を対象として、前記ダウンリンクチャネルをモニタする。
【０１５４】
第１の態様から第５の態様のうちのいずれかに加えて提供される第６の態様によれば、前記第１の期間は、前記ユーザ機器において動作する不連続受信（ＤＲＸ）機能のオン期間より短い。オプションとして、前記第２の期間は、前記ユーザ機器において動作する不連続受信（ＤＲＸ）機能のオン期間と同じ長さを有する。
【０１５５】
第１の態様から第６の態様のいずれかに加えて提供される第７の態様によれば、前記受信機は、動作中、前記基地局から、前記基地局が前記ダウンリンクチャネルを占有することが許可されるチャネル占有時間に関する情報をさらに受信する。前記受信機は、動作中、前記チャネル占有時間が終わるときに、前記第２の期間中、前記ダウンリンク制御情報を対象として、前記ダウンリンクチャネルをモニタすることを停止する。オプションとして、前記チャネル占有時間に関する情報は、前記基地局から前記チャネル占有信号と一緒に送信される。
【０１５６】
第１の態様から第７の態様のうちのいずれかに加えて提供される第８の態様によれば、前記受信機は、動作中、
システム情報ブロードキャストと、
ダウンリンク制御情報と、
前記ユーザ機器を宛先とする無線リソース制御プロトコルのシグナリングと、
のうちの１つ以上の中で、前記第１の期間および／または前記第２の期間の時間長に関する情報を受信する。
【０１５７】
第１の態様から第３の態様のうちのいずれかに加えて提供される第９の態様によれば、前記第１の期間は、同期ブロックモニタタイミング期間が始まるたびに始まる。オプションとして、前記受信機は、動作中、前記基地局が前記ダウンリンクチャネルを占有することが許可される受信されたチャネル占有時間が終わるときに、前記第２の期間中、前記ダウンリンク制御情報を対象として、前記ダウンリンクチャネルをモニタすることを停止する。
【０１５８】
第９の態様に加えて提供される第１０の態様によれば、前記受信機は、動作中、前記ユーザ機器が前記ダウンリンク制御情報を対象として前記ダウンリンクチャネルをモニタする必要がない、前記第２の期間内の期間に関する追加の情報を受信する。オプションとして、前記追加の情報は、前記基地局から前記チャネル占有信号と一緒に受信される。オプションとして、前記追加の情報は、時分割に基づく通信における、前記基地局からのダウンリンク通信が予測されないアップリンク期間を示す。
【０１５９】
第１１の態様によれば、移動通信システムのアンライセンス無線セルを介してユーザ機器と通信する基地局が提供される。前記基地局は、動作中、前記アンライセンス無線セルのダウンリンクチャネルに対して空きチャネル判定を実行して、前記基地局がダウンリンク送信を実行するために前記ダウンリンクチャネルを占有できるかどうかを判定する受信機および処理回路を備える。前記基地局の送信機は、前記基地局が前記ダウンリンクチャネルを占有できるとき、動作中、前記アンライセンス無線セルの前記ダウンリンクチャネルにおいて、チャネル占有信号を前記ユーザ機器に送信する。前記チャネル占有信号は、前記基地局がダウンリンク送信を実行するために前記ダウンリンクチャネルを占有していることを示す。前記送信機は、動作中、前記ユーザ機器によって受信されるダウンリンク送信に関するダウンリンク制御情報を、前記ユーザ機器に送信する。前記送信機は、動作中、受信される前記ダウンリンク制御情報に基づいて、ダウンリンク送信を前記ユーザ機器に送信する。
【０１６０】
第１１の態様に加えて提供される第１２の態様によれば、前記処理回路は、動作中、前記ユーザ機器が、第１の期間中、前記基地局によって送信された前記チャネル占有信号を対象として、前記アンライセンス無線セルの前記ダウンリンクチャネルをモニタしているかどうかを判定する。オプションとして、前記処理回路は、動作中、前記ユーザ機器が、第２の期間中、ダウンリンク制御情報を対象として、前記アンライセンス無線セルの前記ダウンリンクチャネルをモニタしているかどうかを判定する。オプションとして、前記ユーザ機器が、第２の期間中、前記ダウンリンク制御情報を対象として、前記ダウンリンクチャネルをモニタしていると判定すると、前記送信機は、前記第２の期間中に、前記ダウンリンク制御情報を前記ユーザ機器に送信する。
【０１６１】
第１３の態様によれば、ユーザ機器によって実行される次のステップを含む方法が提供される。前記ユーザ機器は、第１の期間中、移動通信システムのアンライセンス無線セルを介して前記ユーザ機器と通信する基地局によって送信されたチャネル占有信号を対象として、前記アンライセンス無線セルのダウンリンクチャネルをモニタする。前記チャネル占有信号は、前記基地局がダウンリンク送信を実行するために前記ダウンリンクチャネルを占有していることを示す。前記ユーザ機器は、前記第１の期間中に、前記基地局から前記チャネル占有信号を受信する。前記ユーザ機器は、受信された前記チャネル占有信号に基づいて、前記基地局が前記ダウンリンクチャネルを占有していると判定する。前記基地局が前記ダウンリンクチャネルを占有していると判定した後、前記ユーザ機器は、第２の期間中、前記ユーザ機器によって受信されるダウンリンク送信に関するダウンリンク制御情報を対象として、前記ダウンリンクチャネルをモニタする。前記ユーザ機器は、前記第２の期間中に、前記ダウンリンク制御情報を受信し、次いで、受信された前記ダウンリンク制御情報に基づいて、前記基地局から前記ダウンリンク送信を受信する。
【０１６２】
第１４の態様によれば、基地局によって実行される次のステップを含む方法が提供される。前記基地局は、アンライセンス無線セルのダウンリンクチャネルに対して空きチャネル判定を実行して、前記基地局がダウンリンク送信を実行するためにダウンリンクチャネルを占有できるかどうかを判定する。前記基地局が前記ダウンリンクチャネルを占有することができるとき、前記基地局は、前記アンライセンス無線セルの前記ダウンリンクチャネルにおいて、チャネル占有信号を前記ユーザ機器に送信する。前記チャネル占有信号は、前記基地局がダウンリンク送信を実行するために前記ダウンリンクチャネルを占有していることを示す。前記基地局は、前記ユーザ機器によって受信されるダウンリンク送信に関するダウンリンク制御情報を、前記ユーザ機器に送信する。前記基地局は、受信される前記ダウンリンク制御情報に基づいて、ダウンリンク送信を前記ユーザ機器に送信する。
【０１６３】
［ハードウェアおよびソフトウェアによる本開示の実現］
本開示は、ソフトウェアによって、ハードウェアによって、またはハードウェアと協働するソフトウェアによって、実現することができる。上述した各実施形態の説明において使用された各機能ブロックは、その一部または全体を、集積回路などのＬＳＩによって実現することができ、各実施形態において説明された各プロセスは、その一部または全体を、同じＬＳＩまたはＬＳＩの組合せによって制御することができる。ＬＳＩはチップとして個別に形成する、または、機能ブロックの一部またはすべてが含まれるように１個のチップを形成することができる。ＬＳＩは、自身に結合されたデータ入出力部を含むことができる。ＬＳＩは、本明細書においては、集積度の違いに応じて、ＩＣ（集積回路）、システムＬＳＩ、スーパーＬＳＩ、またはウルトラＬＳＩとも称される。しかしながら、集積回路を実現する技術は、ＬＳＩに限定されず、専用回路、汎用プロセッサ、または専用プロセッサを使用することによって実現されてもよい。さらに、ＬＳＩの製造後にプログラムすることのできるＦＰＧＡ（フィールドプログラマブルゲートアレイ）や、ＬＳＩ内部に配置されている回路セルの接続および設定を再設定できるリコンフィギャラブル・プロセッサを使用することもできる。本開示は、デジタル処理またはアナログ処理として実現することができる。半導体技術または別の派生技術が進歩する結果として、将来の集積回路技術がＬＳＩに置き換わる場合、その将来の集積回路技術を使用して機能ブロックを集積化することができる。バイオテクノロジを適用することもできる。
【０１６４】
さらに、様々な実施形態は、ソフトウェアモジュールによっても実現されうる。これらのソフトウェアモジュールは、プロセッサによって実行される、または、ハードウェアにおいて直接実行される。また、ソフトウェアモジュールとハードウェア実装との組合せも可能である。ソフトウェアモジュールは、任意の種類のコンピュータ読み取り可能な記憶媒体、例えば、ＲＡＭやＥＰＲＯＭ、ＥＥＰＲＯＭ、フラッシュメモリ、レジスタ、ハードディスク、ＣＤ−ＲＯＭ、ＤＶＤなどに記憶されうる。さらに、複数の異なる実施形態の個々の特徴は、個々にまたは任意の組合せで、別の実施形態の主題でありうるに留意されたい。
【０１６５】
具体的な実施形態において示されている本開示に対して、様々な変更および／または変形を行うことができることが、当業者には理解されるであろう。したがって、本実施形態は、あらゆる点において例示的であり、限定的ではないとみなされるべきである。
【図１】
2021532620.tif 000008
【図２】
2021532620.tif 000009
【図３】
2021532620.tif 000010
【図４】
2021532620.tif 000011
【図５】
2021532620.tif 000012
【図６】
2021532620.tif 000013
【図７】
2021532620.tif 000014
【図８】
2021532620.tif 000015
【図９】
2021532620.tif 000016
【図１０】
2021532620.tif 000017
【図１１】
2021532620.tif 000018
【図１２】
2021532620.tif 000019
【図１３】
2021532620.tif 000020
【図１４】
2021532620.tif 000021
【図１５】
2021532620.tif 000022
【図１６】
2021532620.tif 000023
【図１７】
2021532620.tif 000024
【図１８】
2021532620.tif 000025
【国際調査報告】
2021532620.tif 000026
2021532620.tif 000027
2021532620.tif 000028